【事件の表示】
　特許第３３７２９４９号「表示画像の表示制御機構」の請求項１ないし１５に係る特許に対する特許異議の申立てについて、次のとおり決定する。
【結　論】
　訂正を認める。
　特許第３３７２９４９号の請求項１ないし１５に係る特許を維持する。
【理　由】
１．手続の経緯
　特許第３３７２９４９号の請求項１乃至１５に係る発明は、１９９１年９月１３日（パリ条約による優先権主張外国庁受理１９９０年９月１９日、ＥＰ）を国際出願日とする出願であって、平成１４年１１月２２日にその発明について特許の設定登録がなされ、その後、有限会社オフィスアテナより特許異議の申立てがなされ、平成１６年５月１３日に取消理由通知がなされ、その指定期間内である平成１６年１１月２２日に訂正請求がされたものである。
　　　
２．訂正の適否についての判断
２−１．訂正の内容
(ａ)訂正事項ａ
　特許請求の範囲の請求項１の
「データベース媒体に画像情報を記憶する方法であって、
　光電装置を用いて画像記録媒体に取込まれている複数の画像をディジタル化し、各々の画像と関連する画像ファイルを形成する工程であって、前記画像記録媒体は、水平に向く画像及び垂直に向く画像を含むことができ、前記複数の画像の各々のディジタル化は、前記画像記録媒体における各々の実際の向きとは無関係である工程と、
　前記画像ファイルの各々を前記データベース媒体に記憶する工程と、
　前記データベース媒体により記憶された関連する画像の実際の向きを表す表示制御情報の各々を関連する前記画像ファイルに記憶する工程と、
　前記画像ファイルの各々に係る付加的な表示制御情報を個別の制御ファイルに記憶する工程とを有する方法。」
を、
「データベース媒体に画像情報を記憶する方法であって、
　光電装置を用いて画像記録媒体に取込まれている複数の画像をディジタル化し、各々の画像と関連する画像ファイルを形成する工程であって、前記画像記録媒体は、水平に向く画像及び垂直に向く画像を含むことができ、前記複数の画像の各々のディジタル化は、前記画像記録媒体における各々の実際の向きとは無関係である工程と、
　前記画像ファイルの各々を前記データベース媒体に記憶する工程と、
　前記データベース媒体により記憶された関連する画像の実際の向きを表す表示制御情報の各々を関連する前記画像ファイルに記憶する工程と、
　前記画像ファイルの各々に係る前記データベース媒体により記憶された関連する画像の実際の向きを表す付加的な表示制御情報を前記データベース媒体上の個別の制御ファイルに記憶する工程とを有する方法。」
と訂正する。
(ｂ)訂正事項ｂ
　特許請求の範囲の請求項５の
「データベース媒体上の画像ファイルの形態のディジタル化された画像情報を読出す再生方法であって、
　前記画像ファイルの各々が、ディジタル化された画像を表すデータ及び前記データベース媒体により記憶された関連する画像の実際の向きを表す表示制御情報を含み、個別の制御ファイルが、前記画像ファイルの各々に係る付加的な表示制御情報を含み、当該方法が、
　複数の画像ファイルのうちの選択された画像ファイルを読出す工程と、
　前記選択された画像ファイルに含まれるデータを再生に適した画像信号に変換する画像処理工程と、
　表示制御情報を前記選択された画像ファイル又は個別の制御ファイルから選択する工程と、
　前記画像信号が前記選択された表示制御情報に応じた向きを持つディジタル化された画像の可視像をもたらすように前記画像処理工程を制御する工程とを有する方法。」
を、
「データベース媒体上の画像ファイルの形態のディジタル化された画像情報を読出す再生方法であって、
　前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、当該方法が、
　複数の画像ファイルのうちの選択された画像ファイルを読出す工程と、
　前記選択された画像ファイルに含まれるデータを再生に適した画像信号に変換する画像処理工程と、
　表示制御情報を前記選択された画像ファイル又は個別の制御ファイルから選択する工程と、
　前記画像信号が前記選択された表示制御情報に応じた向きを持つディジタル化された画像の可視像をもたらすように前記画像処理工程を制御する工程とを有する方法。」
と訂正する。
(ｃ)訂正事項ｃ
　特許請求の範囲の請求項７の
「データベース媒体に画像情報を記憶する装置であって、
　光電装置を用いて画像記録媒体に取込まれている複数の画像をディジタル化し、各々の画像と関連する画像ファイルを形成する手段であって、前記画像記録媒体は、水平に向く画像及び垂直に向く画像を含むことができ、前記複数の画像の各々のディジタル化は、前記画像記録媒体における各々の実際の向きとは無関係である手段と、
　前記画像ファイルの各々を前記データベース媒体に記憶する手段と、
　前記データベース媒体により記憶された関連する画像の実際の向きを表す表示制御情報の各々を関連する前記画像ファイルに記憶する手段と、
　前記画像ファイルの各々に係る付加的な表示制御情報を個別の制御ファイルに記憶する手段とを有する装置。」
を、
「データベース媒体に画像情報を記憶する装置であって、
　光電装置を用いて画像記録媒体に取込まれている複数の画像をディジタル化し、各々の画像と関連する画像ファイルを形成する手段であって、前記画像記録媒体は、水平に向く画像及び垂直に向く画像を含むことができ、前記複数の画像の各々のディジタル化は、前記画像記録媒体における各々の実際の向きとは無関係である手段と、
　前記画像ファイルの各々を前記データベース媒体に記憶する手段と、
　前記データベース媒体により記憶された関連する画像の実際の向きを表す表示制御情報の各々を関連する前記画像ファイルに記憶する手段と、
　前記画像ファイルの各々に係る前記データベース媒体により記憶された関連する画像の実際の向きを表す付加的な表示制御情報を前記データベース媒体上の個別の制御ファイルに記憶する手段とを有する装置。」
と訂正する。
(ｄ)訂正事項ｄ
　特許請求の範囲の請求項１１の
「データベース媒体上の画像ファイルの形態のディジタル化された画像情報を読出す再生装置であって、
　前記画像ファイルの各々が、ディジタル化された画像を表すデータ及び前記データベース媒体により記憶された関連する画像の実際の向きを表す表示制御情報を含み、個別の制御ファイルが、前記画像ファイルの各々に係る付加的な表示制御情報を含み、当該装置が、
　複数の画像ファイルのうちの選択された画像ファイルを読出す手段と、
　前記選択された画像ファイルに含まれるデータを再生に適した画像信号に変換する画像処理手段と、
　表示制御情報を前記選択された画像ファイル又は個別の制御ファイルから選択する手段と、
　前記画像信号が前記選択された表示制御情報に応じた向きを持つディジタル化された画像の可視像をもたらすように前記画像処理手段を制御する手段とを有する再生装置。」
を、
「データベース媒体上の画像ファイルの形態のディジタル化された画像情報を読出す再生装置であって、
　前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、当該装置が、
　複数の画像ファイルのうちの選択された画像ファイルを読出す手段と、
　前記選択された画像ファイルに含まれるデータを再生に適した画像信号に変換する画像処理手段と、
　表示制御情報を前記選択された画像ファイル又は個別の制御ファイルから選択する手段と、
　前記画像信号が前記選択された表示制御情報に応じた向きを持つディジタル化された画像の可視像をもたらすように前記画像処理手段を制御する手段とを有する再生装置。」
と訂正する。
(ｅ)訂正事項ｅ
　特許請求の範囲の請求項１３の
「複数の画像ファイルの形態でディジタル化された画像情報が記憶されているデータべース媒体であって、前記画像ファイルの各々が、ディジタル化された画像を表すデータ及び前記データベース媒体により記憶された関連する画像の実際の向きを表す表示制御情報を含み、個別の制御ファイルが、前記画像ファイルの各々に係る付加的な表示制御情報を含み、前記表示制御情報及び前記付加的な表示制御情報は、請求項１１又は１２に記載の再生装置を制御するデータべース媒体。」
を、
「複数の画像ファイルの形態でディジタル化された画像情報が記憶されているデータべース媒体であって、前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、前記表示制御情報及び前記付加的な表示制御情報は、請求項１１又は１２に記載の再生装置を制御するデータべース媒体。」
と訂正する。
　
２−２．訂正の目的の適否、新規事項の有無及び拡張・変更の存否
　前記訂正事項ａは、特許請求の範囲の請求項１において、「付加的な表示制御情報」について「前記データベース媒体により記憶された関連する画像の実際の向きを表す」との限定を付加し、同じく、「個別の制御ファイル」について「前記データベース媒体上の」との限定を付加するものであるから、特許請求の範囲の減縮に該当する。
　前記訂正事項ｂは、特許請求の範囲の請求項５において、「個別の制御ファイル」について「前記データベース媒体上の」との限定を付加し、同じく、「付加的な表示制御情報」について「前記データベース媒体により記憶された関連する画像の実際の向きを表す」との限定を付加するものであるから、特許請求の範囲の減縮に該当する。
　前記訂正事項ｃは、特許請求の範囲の請求項７において、「付加的な表示制御情報」について「前記データベース媒体により記憶された関連する画像の実際の向きを表す」との限定を付加し、同じく、「個別の制御ファイル」について「前記データベース媒体上の」との限定を付加するものであるから、特許請求の範囲の減縮に該当する。
　前記訂正事項ｄは、特許請求の範囲の請求項１１において、「個別の制御ファイル」について「前記データベース媒体上の」との限定を付加し、同じく、「付加的な表示制御情報」について「前記データベース媒体により記憶された関連する画像の実際の向きを表す」との限定を付加するものであるから、特許請求の範囲の減縮に該当する。
　前記訂正事項ｅは、特許請求の範囲の請求項１３について、「個別の制御ファイル」について「前記データベース媒体上の」との限定を付加し、同じく、「付加的な表示制御情報」について「前記データベース媒体により記憶された関連する画像の実際の向きを表す」との限定を付加するものであるから、特許請求の範囲の減縮に該当する。
　
２−３．むすび
　以上のとおりであるから、上記平成１６年１１月２２日付けの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立てについての判断
３−１．本件発明
　上記２．で示したように上記訂正が認められるから、本件の請求項１乃至１５に係る発明は、上記訂正に係る訂正明細書の特許請求の範囲の請求項１乃至１５に記載された事項に特定される次のとおりのものである。
「【請求項１】データベース媒体に画像情報を記憶する方法であって、
　光電装置を用いて画像記録媒体に取込まれている複数の画像をディジタル化し、各々の画像と関連する画像ファイルを形成する工程であって、前記画像記録媒体は、水平に向く画像及び垂直に向く画像を含むことができ、前記複数の画像の各々のディジタル化は、前記画像記録媒体における各々の実際の向きとは無関係である工程と、
　前記画像ファイルの各々を前記データベース媒体に記憶する工程と、
　前記データベース媒体により記憶された関連する画像の実際の向きを表す表示制御情報の各々を関連する前記画像ファイルに記憶する工程と、
　前記画像ファイルの各々に係る前記データベース媒体により記憶された関連する画像の実際の向きを表す付加的な表示制御情報を前記データベース媒体上の個別の制御ファイルに記憶する工程とを有する方法。
【請求項２】前記データベース媒体はコンパクトディスクであり、前記画像ファイルは、該コンパクトディスクに記憶されるサブコード情報のサブコードフレームの長さに対応する長さを有するブロックに含まれることを特徴とする請求項１に記載の方法。
【請求項３】前記画像が写真画像記録媒体に取込まれていることを特徴とする請求項１又は２に記載の方法。
【請求項４】ディジタル化された画像が輝度成分及び色差成分を表わすデータを有することを特徴とする請求項１、２又は３に記載の方法。
【請求項５】データベース媒体上の画像ファイルの形態のディジタル化された画像情報を読出す再生方法であって、
　前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、当該方法が、
　複数の画像ファイルのうちの選択された画像ファイルを読出す工程と、
　前記選択された画像ファイルに含まれるデータを再生に適した画像信号に変換する画像処理工程と、
　表示制御情報を前記選択された画像ファイル又は個別の制御ファイルから選択する工程と、
　前記画像信号が前記選択された表示制御情報に応じた向きを持つディジタル化された画像の可視像をもたらすように前記画像処理工程を制御する工程とを有する方法。
【請求項６】前記データベース媒体はコンパクトディスクであり、前記画像ファイルは、該コンパクトディスクに記憶されるサブコード情報のサブコードフレームの長さに対応する長さを有するブロックに含まれることを特徴とする請求項５に記載の方法。
【請求項７】データベース媒体に画像情報を記憶する装置であって、
　光電装置を用いて画像記録媒体に取込まれている複数の画像をディジタル化し、各々の画像と関連する画像ファイルを形成する手段であって、前記画像記録媒体は、水平に向く画像及び垂直に向く画像を含むことができ、前記複数の画像の各々のディジタル化は、前記画像記録媒体における各々の実際の向きとは無関係である手段と、
　前記画像ファイルの各々を前記データベース媒体に記憶する手段と、
　前記データベース媒体により記憶された関連する画像の実際の向きを表す表示制御情報の各々を関連する前記画像ファイルに記憶する手段と、
　前記画像ファイルの各々に係る前記データベース媒体により記憶された関連する画像の実際の向きを表す付加的な表示制御情報を前記データベース媒体上の個別の制御ファイルに記憶する手段とを有する装置。
【請求項８】前記データベース媒体はコンパクトディスクであり、前記画像ファイルは、該コンパクトディスクに記憶されるサブコード情報のサブコードフレームの長さに対応する長さを有するブロックに含まれることを特徴とする請求項７に記載の装置。
【請求項９】前記画像が写真画像記録媒体に取込まれていることを特徴とする請求項７又は８に記載の装置。
【請求項１０】ディジタル化された画像が輝度成分及び色差成分を表わすデータを有することを特徴とする請求項７、８又は９に記載の装置。
【請求項１１】データベース媒体上の画像ファイルの形態のディジタル化された画像情報を読出す再生装置であって、
　前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、当該装置が、
　複数の画像ファイルのうちの選択された画像ファイルを読出す手段と、
　前記選択された画像ファイルに含まれるデータを再生に適した画像信号に変換する画像処理手段と、
　表示制御情報を前記選択された画像ファイル又は個別の制御ファイルから選択する手段と、
　前記画像信号が前記選択された表示制御情報に応じた向きを持つディジタル化された画像の可視像をもたらすように前記画像処理手段を制御する手段とを有する再生装置。
【請求項１２】前記データベース媒体はコンパクトディスクであり、前記画像ファイルは、該コンパクトディスクに記憶されるサブコード情報のサブコードフレームの長さに対応する長さを有するブロックに含まれることを特徴とする請求項１１に記載の装置。
【請求項１３】複数の画像ファイルの形態でディジタル化された画像情報が記憶されているデータべース媒体であって、前記画像ファイルの各々が、ディジタル化された画像を表すデータ及び前記データベース媒体により記憶された関連する画像の実際の向きを表す表示制御情報を含み、前記データベース媒体上の個別の制御ファイルが、前記画像ファイルの各々に係る前記データベース媒体により記憶された関連する画像の実際の向きを表す付加的な表示制御情報を含み、前記表示制御情報及び前記付加的な表示制御情報は、請求項１１又は１２に記載の再生装置を制御するデータべース媒体。
【請求項１４】前記データベース媒体はコンパクトディスクであり、前記画像ファイルは、該コンパクトディスクに記憶されるサブコード情報のサブコードフレームの長さに対応する長さを有するブロックに含まれることを特徴とする請求項１３に記載のデータべース媒体。
【請求項１５】ディジタル化された画像が輝度成分及び色差成分を表わすデータを有することを特徴とする請求項１３又は１４に記載のデータべース媒体。」
　　
３−２．申立て理由の概要
　申立人は、証拠として甲第１号証（特開昭６１−１５７１５２号公報）、甲第２号証（特開昭６１−１８８６７０号公報）、甲第３号証（特開昭６１−６２２８１号公報）、甲第４号証（特開平１−２１１０７５号公報）、甲第５号証（特開昭６２−２００８８８号公報）、甲第６号証（特開平２−８３５７９号公報）を提出し、請求項１乃至１５に係る発明は、特許法第２９条第２項の規定に違反してなされたものであるから、特許を取り消すべき旨主張している。
　さらに、請求項１乃至１５に係る発明の目的、構成、効果が不明瞭である、本件の請求項に係る発明の目的、効果は「発明の詳細な説明」に記載されておらず、不明である、特許を受けようとする発明が「発明の詳細な説明」に記載されていないので、本件明細書の詳細な説明の記載は、特許法第３６条第４、５項に規定する要件を満たしていないものであるから、特許を取り消すべき旨とも主張している。
　
３−３．３６条についての判断
（１）発明の詳細な説明には、請求項１〜１５に記載される発明が、当業者が容易に実施できる程度に、その目的、構成、効果が記載されていないと主張する点について。
　本件特許発明の目的及び効果は、画像記録媒体に取込まれている複数の画像のディジタル化の際に各画像を正しい向きに回転させる必要性を省くことができ、また、再生時には各画像を正しい向きで表示することを可能にすることにあるが、これは、特許公報第１６頁右欄第１３〜３１行等に記載され、また更なる作用効果は、画像ファイルに向き情報を含ませた場合の作用効果は特許公報第５頁右欄第１〜５行等に記載され、また、個別の制御ファイル内の各画像ファイルに係る向き情報に基づく作用効果は、その構成から当業者に容易に理解できるものである。
　このように、本件特許発明の目的、効果及び構成は「発明の詳細な説明」に記載されている。
（２）請求項１、５、７、１１、１３に係る発明の目的、構成、効果が「発明の詳細な説明」に記載されているとは認められないと主張する点について。
　請求項１、５、７、１１及び１３に係る発明は、画像情報の記憶（請求項１（方法）、７（装置）に係る発明）及び再生（請求項５（方法）、１１（装置）に係る発明）、並びに画像情報が記憶され、再生装置を制御するデータベース媒体（請求項１３に係る発明）に関し、相互に関連しする。そして、その説明が「発明の詳細な説明」に詳述されている。請求項１、５、７、１１、１３に係る発明のカテゴリは「発明の詳細な説明」及び図面において全て網羅されている。これら独立請求項に係る発明の目的及び効果は相互に関連するものであり、上述した目的及び効果がカテゴリ相応に対応することは当業者に容易に理解できる程度に記載されている。
（３）請求項７に係る発明の手段が明りょうでないと主張する点について。
　請求項７の上記手段は「光電装置を用いて画像記録媒体に取込まれている複数の画像をディジタル化し、各々の画像と関連する画像ファイルを形成する手段」であって、この手段において、複数の画像の各々が、画像記録媒体における各々の実際の向きとは無関係にディジタル化される、と解釈されるべきものである。そして、「発明の詳細な説明」においてこの構成の一例として、画像記録媒体をフィルム細条とした写真カラーフィルム処理システムにおけるフィルム細条の各画像のディジタル化が、第２１図を参照して説明されている（例えば特許公報第１３頁左欄第４６〜４８行等）。このように、請求項７に係る発明も「発明の詳細な説明」に記載されている。
　
３−４．引用刊行物に記載された発明
　当審が平成１６年５月１３日付けで通知した取消理由で引用した刊行物は、刊行物１（特開昭６１−１５７１５２号公報）（甲第１号証）、刊行物２（特開昭６１−１８８６７０号公報）（甲第２号証）、刊行物３（特開昭６１−６２２８１号公報）（甲第３号証）、刊行物４（特開平１−２１１０７５号公報）（甲第４号証）、刊行物５（特開昭６２−２００８８８号公報）（甲第５号証）、刊行物６（特開平２−８３５７９号公報）（甲第６号証）であり、特許法第２９条第２項の規定により特許を受けることができないとしたものである。
刊行物１（特開昭６１−１５７１５２号公報）の１頁左下欄１２〜１６行、２頁上右欄５〜１２行、２頁下左欄９〜１１行、３頁下右欄５行〜４頁上右欄１４行、第１図の記載によれば、刊行物１には、「光ディスクの画像ファイル４に画像情報を記憶する記録方法であって、原稿リーダを用いて読み込んだ原稿の文書情報からなる単数の画像情報をディジタル化して画像情報と関連する画像ファイルを形成する工程であって、画像情報は、水平方向に向く画像及び垂直に向く画像情報を含み、画像情報を実際の向きと無関係にディジタル化する工程と、画像ファイルを光ディスクの画像ファイル４に記憶する工程と、光ディスクの画像ファイル４に記憶された関連する画像情報の実際の向きを表す文字方向の検索コードをフロッピーディスク装置６に記憶する工程とを有する画像情報の記憶方法」という発明が記載されていると認められる。
　
３−５．対比・判断
　本件請求項１に係る発明（以下、本件発明１という。）と刊行物１のものとを対比すると、以下の点で相違し、他の構成で一致している。
　相違点１：データベース媒体に記憶される画像が、刊行物１では、原稿リーダで読み込んだ原稿の文書情報からなる単数の画像情報であるのに対して、本件発明１では、画像記録媒体に読み込まれた複数の画像情報である点。
相違点２：本件発明１では、画像の実際の向きを示す表示制御情報を画像情報とともに画像ファイルに記憶しているのに対して、刊行物１では表示制御情報を画像ファイルに記憶していない点。
相違点３：本件発明１では、画像ファイルの各々に係るデータベース媒体により記憶された関連する画像の向きを表す付加的な表示制御情報をデータベース媒体上の個別の制御ファイルに記憶しているのに対して、刊行物１では付加的な表示制御情報がなく、光ディスク上の個別の制御ファイルに画像の実際の向きを示す付加的な表示制御情報を記憶していない点。
　
　相違点について検討すると、本件発明１は、画像の実際の向きを表す情報を、データベース媒体上において２箇所、すなわち、表示制御情報として画像ファイル及び付加的な表示制御情報として個別の制御ファイルに記憶しており、刊行物１のものは画像の実際の向きを表す情報を２箇所に記憶しておらず、刊行物２、３、４、５、６のものについても、画像の実際の向きを表す情報を２箇所に記載するものではない。
　したがって、本件発明１と刊行物１に記載された発明とは他の相違点についての検討、判断を示すまでもなく、本件発明１は、前記の各刊行物に記載された発明に基いて当業者が容易に発明をすることができたものとすることはできない。
　
３−６．他の請求項に係る発明
　本件特許の請求項２〜４に係る発明は、本件発明１を更に限定するものであるから、同様に各刊行物に記載された発明に基づいて当業者が容易に発明することができたものとすることはできない。
　本件特許の請求項５に係る発明と刊行物１に記載された発明とを対比すると、記録方法と再生方法とで相違するのに加えて、上記の点で相違する。したがって、上記の検討、判断から請求項５に係る発明は各刊行物に記載された発明に基づいて当業者が容易に発明をすることができたものとすることはできない。
　本件特許の請求項６に係る発明は、本件発明５を更に限定するものであるから、同様に各刊行物に記載された発明に基づいて当業者が容易に発明することができたものとすることはできない。
　本件特許の請求項７に係る発明は、本件発明１を装置の発明として実現したものであるから、上記の検討、判断にあてはまり、各刊行物に記載された発明に基づいて当業者が容易に発明をすることができたものとすることはできない。
　本件特許の請求項８〜１０に係る発明は、本件発明７を更に限定するものであるから、同様に各刊行物に記載された発明に基づいて当業者が容易に発明することができたものとすることはできない。
　本件特許の請求項１１に係る発明は、請求項５に係る発明を装置の発明として実現したものであるから、上記の検討、判断にあてはまり、各刊行物に記載された発明に基づいて当業者が容易に発明をすることができたものとすることはできない。
  本件特許の請求項１２に係る発明は、本件発明１１を更に限定するものであるから、同様に各刊行物に記載された発明に基づいて当業者が容易に発明することができたものとすることはできない。
　本件特許の請求項１３に係る発明と刊行物１に記載された発明とを対比すると、上記の相違点に加えて、更に、データベース媒体である点で相違する。したがって、上記の検討、判断から請求項１３に係る発明は各刊行物に記載された発明に基づいて当業者が容易に発明をすることができたものとすることはできない。
  本件特許の請求項１４、１５に係る発明は、本件発明１３を更に限定するものであるから、同様に各刊行物に記載された発明に基づいて当業者が容易に発明することができたものとすることはできない。
　
３−７．むすび
 以上のとおりであるから、特許異議の申立ての理由によっては本件請求項１乃至１５に係る特許についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年１２月１４日（２００４．１２．１４）
【訂正の要旨】
審決（決定）の【理由】欄参照。
（５４）【発明の名称】
表示画像の表示制御機構
【発明の詳細な説明】
　本発明は、一般的にディジタル化画像データ処理システム、特にディジタル化画像を画像再生装置によりディジタルデータベースからアクセスする方法を制御する機構に関するものである。
　スチールカラー写真フィルム（例えば、３５ｍｍ）画像をディジタルデータベースに記憶するためのディジタルフォーマットに変換し次にカラーテレビジョンモニタで再生するために用いられるディジタル撮像装置では、通常光学式フィルムスキャナの出力を規定した解像度で符号し、符号化した関連するデータベースに各画像フィルムとして記憶している。記憶した画像を再生することを希望する場合、ディジタル化画像が記憶されているデータベースの各アドレスの内容が読み出され表示駆動回路に供給され、対応する画像がＴＶモニタ上に表示されている。
　３５ｍｍフィルムの典型的なロールの各フレームは種々の水平方向及び垂直方向のフレーム寸法、例えばフィルムの長さ方向に平行な水平方向において３６ｍｍの寸法を有し、フィルム方向と直交する垂直方向において２４ｍｍの寸法を有しているため（水平：垂直アスペクト比３：２）、撮影者はカメラをレンズ光軸を中心にして９０°回転させて（通常、“垂直”条件と称する）物体を撮影している。フィルム細条を走査するディジタル化機構は、各フィルムを“水平撮影”画像を含むようにディジタル化しているので、“垂直撮影”画像が表示されたとき、記録及び再生システムが垂直画像を反転させるように設計されていない限り、垂直画像は回転されることになる。
　米国特許第４６４１１９８号と同様な、この課題を解決する試みでは、垂直画像を含むフィルムフレームを走査する前に９０°回転させ、画像の左側及び右側を均一な“ボーダー”カラー（例えば、黒）で満している。この走査方法は表示画像を適切な向きとすることができるが、２個の欠点がある。第１に、実際の走査機構を、垂直画像を回転させて走査するように表示しなければならないことである。この操作は、通常フィルムを９０°に亘って物理的に向きを直すと共にフレームアスペクト比と関係する量だけ走査装置のレンズ倍率を変更することにより行なわれる。第２に、撮影した画像に関して有用な情報を含んでいない側縁部も記録されるので、記録媒体の情報記憶容量の一部が無駄になることである。この課題に対する第２の解決策は表示装置を回転させることであり、これは多くの用途において明かに実施不能である。
　第３の解決策は、種々の画像の向きを画像の向きを表わすディジタル制御データと共に記憶し、向き制御データを読み出すように設計した画像再生装置を用い、再生の際に画像を適切な向きに向かせることである。ある通常のコンピュータ画像ファイルフォーマット、例えばアルダス社とマイクロソフト社により共同開発されアルダス／マイクロソフト　テクニカル　メモランダム（１９８８年、８月８日）に記載されているタグ　ピクチャ　ファイル　フォーマット（Ｔａｇ　Ｐｉｃｔｕｒｅ　Ｆｉｌｅ　Ｆｏｒｍａｔ；ＴＩＦＦ）は、画像の向きを指示するために用いることができる付加的な“タグ（Ｔａｇ）”を含んでいる。
　上記文献の第２５頁には、８個の異なる値を有することができ、画像データマトリックスの零番目の列及び零番目の行が、可視画像の上側及び左側、上側及び右側、下側及び右側、下側及び左側、左側及び上側、右側及び上側、右側及び下側又は左側及び下側をそれぞれ表わすか否かを表示するＴＩＦＦ“向きタグ”が開示されている。しかしながら、アルダスの文献には、個人的な使用（不交換性）だけに適用される旨記載されている。零番目の行が画像の可視上端を表わし画素データの零番目の列が画像の可視左側を表わす欠落した条件は、複写及び取込を含む全ての非個人的な用途に適用される。従ってＴＩＦＦ向きタグは、画像データベースに種々の向きで記憶されている表示画像の向きの再編成に用いることができない。
　種々の画像の向きに関する課題に加えて、撮影された画像が異なるアスペクト比を有する場合がある。例えば、パノラマ専用カメラは３：１のアスペクト比を有し、このアスペクト比は通常の３５ｍｍカメラの３：２のアスペクト比よりも相当大きい。また、１２６型のフィルムを用いる他の型式のカメラも３：２以外のアスペクト比を有している。
　本発明では、ディジタル化画像は、記憶されている各画像の付加的な表示制御ファイルと協働するように記憶されているので、データベースの情報記憶容量の点において有利である。この表示制御ファイルは向き及びアスペクト比の情報を含んでいるので、画像再生装置は、各画像がいかにしてデータベースに記憶されたかを知り、従って画像が縦向き条件で再生させるように、記憶されている画像をいかにアクセスすべきかを知ることになる。
　さらに、本発明は、写真フィルム細条に形成されている複数の写真画像を処理及び表示するためのディジタル化するディジタル化画像処理システム用の改善した記憶及び検索機構にも関連する。フィルム細条は、水平撮影（縦向きまたは反転縦向き）及び垂直撮影（右回転又は左回転のいずれか）の両方を含む可能性がある。ディジタル化画像は、カラーＴＶモニタのような表示装置にディジタル化画像を再生する画像再生装置に結合することができるコンパクトディスクのようなディジタル化画像記録媒体に記録する。
　本発明によれば、フィルム細条とディジタルスキャナとの間で相対的に物理的に回転させることなく、フィルム細条の各画像が走査され、フィルム上の実際の向きに拘わらず各画像が水平方向に向くようにディジタル化される。ディジタル化画像はフレームメモリに入力されシステムのワークステーションの表示モニタに表示されるので、画像は操作者によって観察される。ワークステーション入力装置（例えば、キーボード又はマウス）を用いることにより、操作者は、各画像フィルムと関連する表示制御ファイル内で協働する一組の表示制御コードを入力する。これら表示制御コードは、画像が現在表示されている向き（フィルム細条からディジタル化された際の向きに対応する）を表わす第１のディジタルコード及びそのアスペクト比を表わす第２のディジタルコードを含むことが好ましい。一旦、画像に関する全ての制御情報が規定されると、ディジタル化画像及びその表示制御ファイルは書込光ディスクのようなポータブル型の記録媒体に書込まれる。
　次に、ディスクが再生装置に装填されＴＶモニタのような出力表示装置を駆動すると、再生装置は、ディジタル化画像を読み出す際表示制御ファイル情報を復調し、表示制御ファイルを用いて画像を縦向きに正しいアスペクト比で表示するように制御する。ボーダー発生器は、表示装置上で画像が完全なものとなるように非アクセス画素アドレスを満たす。向きコード及びアスペクト比コードを含む表示制御ファイルに対する応答に加えて、再生装置はユーザ発生制御信号に応答して表示される画像に注入されるべき補助ボーダーの限界を規定するので、使用者は画像の選択した部分の削除を制御することができる。
　図１ａ，１ｂ及び１ｃは画像記憶システム、画像検索再生システム及び簡略画像検索再生システムをそれぞれ示す図、
　図２は画像情報を記憶担体上に記録する適切なフォーマットを示す図、
　図３は画像情報をディジタル化する適切な方法を示す図、
　図４は画像情報のディジタル化に用いる適切な差分符号化を示す図、
　図５は順に高い解像度の一連のディジタル化画像の一つの画像のカラー情報の適切な配列を示す図、
　図６は一つの画像処理機能の例を示す図、
　図７は画像パラメータデータに従って画像情報を表示し得る検索再生システムの一実施例を示す図、
　図８は画像パラメータデータを記録担体に記録するのに適切なフォーマットを示す図、
　図９は画像パラメータデータを不輝発性メモリに記憶するのに適切なフォーマットを示す図、
　図１０は１６個の低解像度画像から成るモザイク画像を示す図、
　図１１は簡略画像検索再生システムの一実施例を詳細に示す図、
　図１２は画像記憶システムの一実施例を詳細に示す図、
　図１３は画像記憶システムに用いる記録ユニットを示す図、
　図１４はＣＤ−ＲＯＭ　ＸＡフォーマットを示す図、
　図１５は画像情報がＣＤ−Ｉフォーマットに従って記録された場合の記録担体の適切な構成を示す図、
　図１６は画像処理ユニットの一例を示す図、
　図１７及び１８は画像処理ユニットにより実行される画像処理機能を示す図、
　図１９は読取装置の一実施例を示す図、
　図２０は簡略画像処理ユニット内のサンプルレート変換器を示す図、
　図２１は本発明を使用し得る写真カラーフィルム処理システムを示す図、
　図２２はそれぞれ矢印の向きの画像が記録されている多数の順次画像フレームを含むフィルム細条の一部を示す線図、
　図２３はヘッダファイルのフォーマットを示す線図、
　図２４は本発明による画像検索機構の信号処理アーキテクチャを示すブロック線図、
　図２５は水平正規画像の場合に図２４の画像メモリの内容によって表示される画素アレイ上のＮＴＣＳモニタの大きさの矩形表示フレームのオーバレイを示す線図、
　図２６はＮＴＳＣ画素マトリックス上における図２４の画像メモリのデータ入力のデシメートされたサブアレイ部分と関連する回転した矩形表示フレームオーバアレイを示し、画像の内容がわずかに拡大した９０°回転画像に対応して表示した線図、
　図２７は記憶した５１２×７６８画素の水平方向の全長を、正規又は反転水平画像の列及びアドレスの５：６デンメーションによって４８４×６９０画素マトリックスに表示した状態を示す線図、
　図２８はアドレスデンメーションを用いて３：１のアスペクト比を有するパノラマ画像の水平方向の全長を表示した状態を示す線図、
　図２９はユーザ発生補助ボーダーを有する表示画像を示す線図である。
　図１ａは本発明を使用し得る画像記憶システム１２を示す。この画像記憶システム１２は写真画像記録媒体３、例えば３５ミリフィルム細条上の画像を走査する画像走査ユニット１を具える。この画像走査ユニット１は走査時に得られた画像情報をディジタル化する画像ディジタル化ユニットを具える。ディジタル化された画像情報は制御ユニット４の制御の下で記録ユニット５によりデータベース媒体、例えば記録担体１８４上に記録される。記録前に制御ユニット４によりオプション画像処理を供給し、例えばディジタル化された画像情報により構成される画像表示を増強、補正或いは編集することができる。この目的のために、制御ユニットはそれ自体既知の画像処理手段を具えることができる。記録ユニット５は例えば光学式、磁気式又は磁気−光学式記録装置を具えることができる。光学式及び磁気−光学式記録担体の高い記憶密度のために光学式又は磁気−光学式記録装置を用いるのが好ましい。制御ユニット４はコンピュータシステム、例えば適切なハードウェア及びアプリケーションソフトウェアを有するいわゆる“パーソナルコンピュータ”又はいわゆる“ワークステーション”を具えることができる。
　図１ｂ図は画像記憶システム１２により記録担体１８４上に記憶されたディジタル化画像を検索し表示する画像検索再生システムを示す。この画像検索再生システム１３は制御ユニット７の制御の下で選択したディジタル化画像を位置決定し読取る読取ユニット６を具える。このように読取ったディジタル化画像の表示を画像再生ユニットに可視化させることができる。このような画像再生ユニットは例えば制御ユニット７の一部を構成する表示スクリーン８又は読取ったディジタル化画像の表示のハードコピー１５を発生する電子画像プリンタ９を具えることができる。画像検索再生システム１３は更に追加の記録装置５ａを具え、これにより読取装置６により読取ったディジタル化画像情報を、増強、補正又は編集のために制御ユニット７により実行されたオプション画像処理後に記録担体１８４に記録することができる。画像検索再生システム１３の制御ユニットはコンピュータシステム、例えば適切なハードウェア及びアプリケーションソフトウェアを有するパーソナルコンピュータ”又は“ワークステーション”を具えることができる。このようなシステムは実行すべき制御タスク及びオプション画像処理に極めて好適であるがかなり高価である欠点を有する。
　一般に、このような高価なコンピュータシステムは制御ユニットを複雑な制御及び画像処理機能を必要とする電子画像プリンタと組合せる場合に使用するのが望ましい。しかし、選択したディジタル化画像を表示スクリーンに表示する必要があるだけの場合には、パーソナルコンピュータ又はワークステーションの形態のコンピュータシステムの計算容量及び記憶容量は実行すべき制御機能と比較して高すぎる。この場合には制限した計算及び記憶容量及び制限したデータ処理速度を有する簡単化した制御ユニットを用いるのが好ましい。図示のシステムは読取ユニット６を含むディジタル化画像プレイバック装置と、読取ユニットにより読取られたディジタル化画像を再生ユニット（表示スクリーン８又はプリンタ９）に好適な画像信号に変換する画像処理ユニットとを具える。この画像処理ユニットは読取ユニット６、制御ユニット７又は画像再生ユニット８又は９内に部分的に又は完全に含めることができる。
　図１ｃはこのように簡単化した画像検索再生システム１４を示す。この簡略システム１４は表示ユニット１０と、読取ユニット６を具える画像検索プレイバック装置１１とを具える。検索及び読取動作及び、必要に応じ、制限された画像処理を制御する制御ユニットをユニット１０及び１１の何れか一方に収納することができるが、ユニット１１に収納するのが好ましい。制御ユニットを検索読取ユニット１１に収納すると、画像表示装置用に特に標準ＴＶセット又はモニタユニットを使用することができる。
　これは特に一般消費者用に有利であり、その理由はこの場合には消費者は画像表示のために検索読取装置を購入するだけでよいためである。
　図１ａに示す画像記憶システム１２及び図１ｂに示す画像検索再生システム１３は比較的高価である結果、例えば写真処理ラボラトリ又は写真現像ミニラボラトリのような中央用に特に好適である。
　ディジタル化画像情報を記録するには、この情報を記録担体上に予め決められたフォーマット及び順序に記録するのが好ましい。図２は適切なフォーマット及び順序を示し、図２においてディジタル化画像情報を含むファイルには参照符号ＩＰ１，・・・，ＩＰｎを付してある。以後、ファイルＩＰ１，・・・，ＩＰｎは画像ファイルと称す。更に、複数個の制御ファイルＢＢが記録されている。これらファイルはディジタル化画像情報の読取りを制御するための読取制御データ及び画像情報に、オプション画像処理動作を実行するため及びディジタル化画像情報の表示を表示させるための画像パラメータデータを含む。画像パラメータデータは画像ファイル内に含ませることができる点に注意されたい。その利点は、所要の画像パラメータをこれが必要とされる瞬時、即ち画像ファイルを読取る瞬時に得ることができる点にある。
　多くの場合には画像ファイルＩＰ及び関連する制御ファイルＢＢの他にオーディオ情報やテキスト情報のような追加の情報を有するファイルを記録するのが望ましい。このようなオーディオ及び／又はテキスト情報は例えばディジタル化画像情報と関連させることができ、この場合にはこの情報を関連するディジタル化画像情報の表示が表示される際に再生又は表示することができる。追加の情報を有するこのファイルをＡＤＤで表し、このファイルは例えばディジタル化画像情報の後に記録することができる。
　各記憶ディジタル化画像毎に、画像ファイルは複数のサブファイルを含み、各サブファイルは同一走査画像の一つの表示を構成し、これらディジタル化画像により構成される表示はそれぞれ解像度が相違する。図２において画像ファイルＩＰ１の種々のサブファイルには参照符号ＴＶ／４，ＴＶ，１６ＴＶ，６４ＴＶ，２５６ＴＶを付してある。サブファイルＴＶは標準ＮＴＳＣ又はＰＡＬ　ＴＶ画像にほぼ対応する解像度を有する走査画像の表示を構成する。このような画像は例えば各７６８画素の５１２ラインを具える。サブファイルＴＶ／４はサブファイルＴＶにより表される画像の解像度に対し水平及び垂直方向の解像度を直線的に１／２に低減した走査画像を表わす。サブファイル４ＴＶ，１６ＴＶ，６４ＴＶ及び２５６ＴＶは水平及び垂直解像度をそれぞれ２倍、４倍、８倍及び１６倍に直線的に増大した画像を表わす。これらサブファイルは、連続するディジタル化画像により構成される表示の解像度が（直線的に）２倍に増大するよう配列するのが好ましい。再生中、連続するサブファイルを連続的に読取る場合には、最初に低解像度の画像の表示を表示し、次いでこの表示を順次高い解像度の同じ画像の表示と全体的に又は部分的に置き換えることが簡単に行なえる。これは、画像表示が表示スクリーンに現れるまでの待ち時間が最小になる利点をもたらす。低解像度表示を構成するディジタル化情報の読取時間はこの表示に必要とされる制限された情報量のために高解像度表示を構成するディジタル化画像の読取時間と比較して短いこと確かである。
　一般に既知の画像表示方法では画像を一定輝度値及び／又は一定カラー値の小区域のマトリクスで構成している。この表示方法では、通常一定のカラー値の区域を一定の輝度値の区域より大きく選択している。
　一定カラー値の区域を以後カラー画素と称し、一定輝度値の区域を以後輝度画素と称す。画像の全幅に等しい幅の一行のカラー画素を以後カラー画像ラインと称す。画像の全幅に等しい幅の一行の輝度画素を以後輝度画像ラインと称す。輝度画像ライン及びカラー画像ラインにより表される画像は、各輝度画素及びカラー画素に、関連する輝度値及びカラー値を指定するディジタル符号を割当てることにより符号化したディジタル化画像により簡単に構成することができる。
　図３はカラー画素と輝度画素から成る画像の構造の一例を示す。輝度画素には参照符号（Ｙ１，１；・・・；ＹＫ，Ｒ）を付してある。カラー画素には参照符号（Ｃ２，１；・・・；ＣＫ−１，Ｒ−１）を付してある。図３において、カラー画素の水平及び垂直方向の寸法は通常の如く輝度画素の寸法の２倍である点に注意されたい。このことはカラー情報の水平及び垂直方向の解像度が輝度情報の解像度の１／２であることを意味する。
　適切な画像符号化方法では各輝度画素及び各カラー画素にディジタル符号を割当て、この符号は輝度成分Ｙの絶対値及び色差成分Ｕ及びＶの絶対値を表わすものとする。このような符号化を以後絶対画像符号化と称す。絶対画像符号化により得られたディジタル化画像を絶対符号化画像と称す。複数個の低解像度画像は絶対符号化画像として記録するのが好ましい。この場合、画像情報の再生を簡単にすることができる。これは特に簡略画像検索再生システム１４に有利である。その理由は、この場合一般消費者マーケット用のこのようなシステムの価額を簡単な画像復号化システムの使用により低く保つことができるためである。
　種々の解像度の複数個の絶対符号化画像を有する画像ファイルの使用により、低解像度の小画像の表示を高解像度画像の表示の中に表示する複合画像の表示の再生が簡単になる。このような複合画像の表示の再生は“ピクチャ　イン　ピクチャ”（“ＰＩＰ”）と称されている。更に、種々の解像度を有する同一の画像の表示を構成する複数の絶対符号化画像を記録することにより１つのディジタル化画像の細部の拡大表示の再生が簡単になる。このような機能はＴＥＬＥ機能（又はズーム機能）と称されている。種々の解像度を有する絶対符号化画像の有用性は、いくつかのＴＥＬＥ機能及びＰＩＰ機能に対し所要の画像情報を直接使用することができ、複雑な回路により実行される追加の画像処理によって取り出す必要がない点にある。
　画像情報の記録においては一般にディジタル化画素を行（ライン）に記録し、時には列に記録する。慣用されている画像表示ユニットでは画像情報をラインの形で供給する必要があるためライン記録の方が好ましい。
　高解像度画像に対しては、絶対符号化画像情報の記憶は、記録すべき情報量が極めて大きい欠点を有する。このような高解像度画像に対しては差分符号化が極めて好適である。このような差分符号化においては、高解像度画像の画素の信号値と低解像度画像の対応する部分の信号値との差を決定し、これを符号化する。
　この符号化方法を説明するために、図４に低解像度画像の１つの輝度画素Ｙと、水平及び垂直解像度を２倍に増大した対応する高解像度画像の４つの輝度画素Ｙ′１，１；Ｙ′２，１；Ｙ′１，２及びＹ′２，２とを示す。差分符号化は、輝度画素Ｙ′１，１，・・・，Ｙ′２，２の絶対輝度値の代わりに、輝度画素Ｙ′１，１，・・・，Ｙ′２，２の輝度値と輝度画素Ｙの輝度値との差（以後差分値という）を符号化する。このようして１つの画像の差分値を輝度及びカラー情報の両方に対し決定することができる。零に等しいか極めて小さい値を有する差分値の数の方が大きな値を有する差分値の数より多いので、差分値を非線形量子化し、次いで例えばハフマン符号化を施すことにより著しいデータ圧縮を得ることができる。
　差分符号化画像はもっと高い解像度を有する画像に対する次の差分符号化の基準として用いることができる。こうして、低解像度を有する１つの絶対符号化画像及び順に高い解像度を有する一連の差分符号化画像を圧縮した形で記録することにより、順に高い解像度を有する同一の画像の表示を構成する複数のディジタル化画像を記録することができる。図２に示す画像ファイルＩＰ１において、サブファイルＴＶ／４及びＴＶ内の画像は絶対符号化され、サブファイル４ＴＶ，１６ＴＶ，６４ＴＶ及び２５６ＴＶ内の画像は非線形量子化及びハフマン符号化を用いて差分符号化されている。このような符号化画像を以後単に差分符号化画像という。
　カラー情報も輝度情報と同様に差分符号化する。しかし、連続する差分符号化カラー情報の水平及び垂直解像度は輝度情報の２倍の代わりに４倍に増大する。このことは、差分符号化輝度信号のみを含みカラー情報を含まない画像ファイル（４ＴＶ及び６４ＴＶ）が差分符号化輝度情報と差分符号化カラー情報の両方を含む画像ファイル（１６ＴＶ及び２５６ＴＶ）と交互に配置されることを意味する（図２参照）。サブファイル４ＴＶ及び６４ＴＶ内のカラー情報の除去により所要記憶容量が減少すると共に画像ファイル内の符号化画像情報へのアクセス時間が減少する。しかし、サブファイル４ＴＶ及び６４ＴＶ内にカラー情報がないことは再生中の画質に悪影響を与えない。これは、カラー情報が記録されてないディジタル化画像の表示の再生中に、それより高い解像度の表示を構成する次の符号化画像のカラー情報又はそれより低い解像度の表示を構成する前の符号化画像のカラー情報を使用することができるためである。所要の画像情報への総アクセス時間を減少させるためには、図２にファイルＩＰ１＊につき示すようにサブファイル１６ＴＶ及び２５６ＴＶ内のカラー情報Ｕ，Ｖをサブファイル４ＴＶ及び６４ＴＶ内の輝度情報に連続して記録するのが好ましい。
　既に述べたように、ディジタル化画素はライン順次に記録するのが普通である。
　記録されるたディジタル化画像は一般に“水平向き”即ち風景画フォーマットの多数の画像（即ち、これらの画像を忠実に再生するためには、画像の幅がその高さよりも大きい向きで表示しなければならない）及び“垂直向き”即ち肖像画フォーマットの多数の画像（即ち、これらの画像を忠実に再生するために、画像の高さがその幅よりも大きい向きで表示しなければならない）を含んでいる。
　例えば、図１には風景画フォーマットの幾つかの画像（２ａ，２ｂ，２ｃ及び２ｄ）と、肖像画フォーマットの１つの画像（２ｅ）とを有している画像記録媒体３を示してある。ディジタル化画像は全て風景画フォーマットの画像であるものとして記録担体上に記録される。これは、走査画像が風景画タイプか、又は肖像画タイプかを検出し、その検出結果に応じて走査及び／又は画像処理を切換える必要なしに均一の画像走査を使用できるようにするためである。しかし、この場合には再生時に肖像画フォーマット画像の表示が誤った向きに表示されることになる。このようなことは記録符号化画像に向き符号を割当てることができるようにすることによりなくすことができる。この向き符号は、再生時に表示画像を回転させるべきか、どうかを示し、且つ回転させる必要がある場合にはその表示画像を９０°、１８０°又は２７０°の内のいずれの角度回転させるのかを指示する。この向き符号は各画像ファイルＩＰ１，−−−，ＩＰｎ毎に含めることができる。また、これらの向き符号は制御ファイルＢＢ内に記録したり、又はこれらの向き符号を読取ユニット内に配置された又は読取ユニットに接続された不揮発性メモリに記憶させることもできる。
　再生時には表示すべき画像表示を回転させるべきか、どうかを向き符号に基いて決定することができ、回転させる必要がある場合には、再生前に所望角度の回転を行なわせることができる。画像ファイルＩＰに向き符号を含めることの欠点は、画像の走査時にこれらの向き符号を予じめ決めなければならないと云うことにある。実際上、このことは画像記憶システムのオペレータが各走査画像毎に記憶画像を再生時に回転させるべきか、どうかを決めなければならないことを意味している。その理由は、従来の補助装置は走査画像が風景画フォーマットであるのか、又は肖像画フォーマットであるのかを検出すること、及び画像が走査ユニットに正しい向きで与えられているのか、どうかを検出することが必ずできるわけでないからである。このことは特に、記録時にオペレータがいなくてはならないために不所望であり、完全自動化画像記憶システムの実現を困難にする。
　ディジタル化画像情報の記録時に向き符号が予め得られる場合には、これらの向き符号を記録担体に記録するのが有利である。図２に示したファイル構成の場合に向き符号を記録するのに好適な位置は制御ファイルＢＢにおけるサブファイルＦＰＳである。ユーザの便宜のためには、表示画像を必要に応じて回転させることとは別に、記憶符号化画像を（左、右、上又は下に）僅かにシフトさせた表示を表示すべきか、どうかを指定するのが望ましい。これは、表示ユニットに表示が表示される表示領域が実際の表示画像の寸法よりも小さい場合に、その画像の重要な細部が表示領域の外側に外れてしまうことがあるために必ず所望されることである。所望なシフトは各符号化画像毎に平行移動符号を割当てることにより指定することができる。図６において画像９０に対する好適な平行移動符号化は、平行移動後に表示すべき画像９２の頂点９１の座標Ｘｐ及びＹｐによって規定される。平行移動符号と拡大符号とによって、元の画像の所定部分を表示すべき倍率を指定することができる。参照番号９３はＸｐ、Ｙｐの平行移動と２の倍率とによって規定される画像９０の一部分の拡大表示を示す。上述したデータに加えて、符号化画像の表示を表示する前に他の画像パラメータデータ、例えば色又は輝度変更及び他の画像処理を指定するパラメータを制御ファイルＢＢのサブファイルＦＰＳに含めることもできる。さらに、画像を再生すべき所望な順序を制御ファイルＢＢ内のサブファイルＦＰＳに記憶させるのが有利である。
　記録担体上の全符号化画像に対する所望の表示順序及び全ての所望の画像パラメータデータを規定する画像パラメータデータの集合を以後画像パラメータデータセットという。２セット以上の画像パラメータデータをファイルＦＰＳ内に記録するのが有利である。このようにすればそれぞれの人、例えば家族内のそれぞれの人が異なる表示順序及び他の画像処理操作を選択することができる。ユーザは種々の画像パラメータデータセットから所定のセットを選定することもできる。なお、追記型の記録担体を用いる場合には、画像パラメータデータセットは記録時にこれらデータセットが得られる場合にしか記録担体に記録できない点に注意されたい。これは記録時に人の介在を必要とする。記録担体を読取る際には一つの画像パラメータデータセットを選択し、この選択した画像パラメータデータセットに従って符号化画像の表示を表示させることができる。図７は選択した画像パラメータデータセットに従って符号化画像の表示を表示させることのできる画像検索表示システムの一実施例を示すブロック図である。この図における参照番号１００は記録担体を読取る読取ユニットである。読取った情報を供給するために読取ユニット１００を制御兼信号処理ユニット１０１に結合させる。制御兼信号処理ユニット１０１は、読取ユニット１００から受信した信号から画像パラメータデータセットを含むファイルＦＰＳを選択して、この選択したデータセットを制御メモリ１０２に記憶する。ユーザはデータ入力ユニット１０３、例えばリモートコントロールユニットによって制御メモリ１０２から１つの画像パラメータデータセットを選択することができ、次いでユニット１０１を作動させて読取サイクルを開始することができ、この読取サイクルではユニット１０１の制御の下でディジタル化画像情報が、選択された画像パラメータデータセットによって指定された順序で読取られる。ディジタル化画像情報が読出された後に、この情報は選択された画像パラメータデータセットに従って処理されて、表示ユニット１０４に供給される。
　或る時間の経過後に、記録担体に記憶してある画像パラメータデータが最早ユーザの希望に全く適わなくなったり、又は画像パラメータデータが記録担体に記録されていなかったり、或いは誤った画像パラメータデータが記録されていたりすることが生じることがある。このようなことは特に、記録担体が重ね書きできないタイプのものである場合に、記録済みの画像パラメータデータを変更することができないために問題となる。このような問題は図７の検索表示システムにディジタルデータベース媒体、例えば不揮発性メモリ１０５を設けることにより軽減させることができ、メモリ１０５には記録担体識別符号と一緒に新しい画像パラメータデータセット、即ち記録担体に記憶済みの画像パラメータデータセットに対して所望される画像パラメータデータの変更についての情報を前記記録担体識別符号により指定される記録担体用に記憶させる。不揮発性メモリ１０５の記憶容量は限られているために、画像パラメータデータに必要な情報は最大限コンパクトに記録するのが望ましく、このためには画像パラメータデータの変更についての情報を記録するのが好適である。
　図８は記録担体のファイルＦＰＳに含める画像パラメータデータの好適なフォーマット１１０の例を示す。このフォーマット１１０は特有の記録担体識別符号を記憶させる区分ＤＩＤを具えている。このような識別符号はランダム数発生器により発生される大きなランダム数で構成し、記録担体に記録することができる。この符号には年、月、日、時間、分、秒、１／１０秒単位の時間を示す時間符号を含めることができる。記録担体識別符号は時間符号とランダム数とを組合わせたものとすることもできる。フォーマット１１０の区分ＤＩＤに続く区分ＴＰＳＤ１，ＴＰＳＤ２，−−−，ＴＰＳＤｎには多数の異なる画像パラメータデータセットを記憶させる。各画像パラメータデータ区分ＴＰＳＤ１，−−−，ＴＰＳＤｎは、異なるユーザが選択する種々の画像パラメータデータセットに対するセット識別番号を指定する部分ＳＥＬ及び記憶画像の表示を再生すべき順序を指定する部分ＳＥＱを含んでいる。この部分ＳＥＱに続く符号化区分ＦＩＭ＃１，−−−，ＦＩＭ＃ｎには、関連する画像の表示を表示する前に画像１，−−−，ｎに対に対し行なうべき好みの画像処理操作を示す画像パラメータデータを記憶させる。
　図９は画像パラメータデータセットの所望な変更についての情報を不揮発性メモリ１０５に記憶させることができる好適なフォーマット１２０の例を示す。このフォーマット１２０は記録担体識別符号と、記憶されている画像パラメータデータセットの識別番号との組合せを指定する区分１２１を具えている。これらの各組合せにポインタを割当て、このポインタを区分ＤＩＤ−ＰＯＩＮＴに含め、これにより不揮発性メモリ１０５内の区分ＤＦＰＳ１，−−−，ＤＦＰＳｎのアドレスを指定する。
　各区分ＤＦＰＳはそれぞれ新しい表示順序を指定するのに必要とされるスペース（例えばバイトの数）を示す符号を有する部分ＬＳＥＱを具えている。部分ＬＳＥＱが０でない長さを示す場合には、新しい表示順序を指定するデータを有する部分ＮＳＥＱがＬＳＥＱの後に続く。このＮＳＥＱの後には新しい好みの画像処理操作が好みの画像処理を変更すべき画像毎に指定される。ＲＯＴは向き符号を有する区分を示す。区分ＬＴＥＬＥ及びＬＰＡＮは画像の拡大（区分ＮＴＥＬＥ）及び画像の平行移動（区分ＮＰＡＮ）に関連する新しいデータを記憶するのに利用できる長さを指定する。このようにして、画像処理情報を記憶さすべき精度を選択することができる。従って、例えば３つの異なる精度を示す３の異なる長さを規定することができる。ＬＴＥＬＥ及びＬＰＡＮの後に区分ＮＴＥＬＦ及びＮＰＡＮが続く。画像の拡大及び画像の平行移動についての情報を変える必要がない場合には、これを区分ＬＴＥＬＥ及びＬＰＡＮにて長さゼロで示す。好みの画像処理操作を変更すべき画像に対する画像処理操作だけを記憶させることにより、新しい画像パラメータデータを記憶するのに必要とされるスペースはかなり低減する。上述したように変更分だけを記録することによって必要な記憶スペースを減らすこととは別に、変更データを記憶するのに必要とされる長さを指定することによって記憶スペースをさらに減らすことができる。記録担体を読取る時には、記録担体に記録してある画像パラメータデータ及びメモリ１０５に記憶してある種々の画像パラメータデータから適合する画像パラメータデータセットを取出し、これをメモリ１０２に記憶する。
　図７に示した検索表示システムにて画像パラメータデータを記憶するには不揮発性メモリ１０５の代りに、又はそれに加えて、例えば磁気カード、ＥＰＲＯＭ、ＥＥＰＲＯＭ又はＮＶＲＡＭ形態の交換可能なメモリ１０６を用いることができる。
　このようなメモリを用いれば、ユーザは交換可能なメモリ１０６を接続できる種々の画像検索表示システムで記録担体の画像情報を同じ画像パラメータデータに従って表示することができると云う利点がある。画像パラメータデータを記憶するのにメモリ１０５及び１０６の一方か、又は双方を用いる場合には、記録担体上の画像パラメータデータセット及びメモリ１０５及び１０６に記憶されている変更画像パラメータデータによって規定される種々の画像パラメータデータセットから所望のものを選択するのが望ましい。このためにはユニット１０１に選択手段を設ける必要がある。この選択手段はユーザが操作して、種々の特定の記録担体に対し規定された画像パラメータデータセットの選択を、この記録担体及びメモリ１０５，１０６に記憶してある画像パラメータデータから選択番号により行なうタイプのものとすることができるか。しかし、この選択手段は、メモリ１０５及び１０６の内容と、記録担体に記録してある画像パラメータデータセットとに基いて再生する前に、関連する記録担体に使用し得る画像パラメータデータセットを決定し、これらのデータセットを例えばメモリ１０２に記憶するタイプのものとすることもできる。次いで、メモリ１０２に記憶した使用可能な画像パラメータデータセットの内の１つのセットを所定の選択基準に従って選択する。この場合の選択基準は、最高優先度が交換可能メモリ１０６内の画像パラメータデータに割当てられ、中位の優先度が不揮発性メモリ内の画像パラメータデータに割当てられ、最低の優先度が記録担体上の画像パラメータデータに割当てられるようにするのが好適である。ユニット１０１がコンピュータを具えている場合には、このコンピュータに選択プログラムを適当にロードさせることにより自動選択を行なうことができる。
　図２のファイルＯＶを再び参照するに、このファイルは全ての画像ファイルＩＰ１，−−−，ＩＰｎに対する絶対符号化低解像度画像を含むサブファイルＴＶ／１６を具えている。ファイルＯＶを記録することの利点は、記録担体に記録されているディジタル化画像情報の総覧を最小のアクセス時間で得ることができる点にある。これは、例えばサブファイルＴＶ／１６内の多数のディジタル化画像を好ましくは、選択した画像パラメータデータセットにより規定される順序で表示スクリーン全体又はその一部分を満たす表示画像として順次表示させることにより可能になる。しかし、表示画像はサブファイルから所謂モザイク画像の形態に構成することもでき、このモザイク画像ではサブファイルＴＶ／１６に含まれる低解像度の符号化画像の多数の表示を、好ましくは選択した画像パラメータデータセットで規定された順序でマトリックス状に配列する。例えば図１０は１６個の低解像度のサブ画像の表示（ＩＭ＃１，ＩＭ＃３，−−−ＩＭ＃２６）から成るモザイク画像１３０を示す。
　図１１は図１ｃの画像検索表示システムの例をもっと詳細に示したブロック図である。このシステムにおける画像検索読取ユニット１１は読取ユニット６と、制御ユニット１４０と、画像処理ユニット１４１とを具えている。読取ユニット６は記録担体から読取った情報を信号路１４２を経て制御ユニット１４０に供給すると共に画像処理ユニット１４１にも供給する。制御ユニット１４０は読取った情報から制御ファイルＢＢ及びＩＩＤＢに含まれる特定情報を選択する。画像処理ユニット１４１は読取ユニット６が読取った情報から画像情報を選択し、この画像情報を表示ユニット１０に適う形態に変換する。読取ユニット６及び画像処理ユニット１４１の制御は、例えばデータ入力ユニット１４３を経てユーザが入力するデータ及び制御ファイルＢＢ及びＩＩＤ２の制御データに基づいて制御ユニット１４０により行なわれる。
　図１２は画像記憶システム１２の例を詳細に示したブロック図である。この図に示す走査ユニット１は、写真画像記録担体３を走査して、走査画像情報を通常の情報信号、例えば走査画像を示すＲＧＢ画像信号に変換する走査素子１７０を具えている。この走査素子の出力端子に現われる画像信号は１画像当りの画素数が最高の解像度を呈するものである。走査素子１７０によって供給される情報信号を通常のマトリックス回路１７１により輝度信号Ｙと、２つの色差信号Ｕ及びＶとに変換する。符号化回路１７２は信号Ｙ，Ｕ及びＶを慣例の方法で絶対符号化信号（低解像度の画像用）と、後に説明する符号化法に従って差分符号化画像（高解像度の画像用）とに変換する。走査素子１７０、マトリックス回路１７１及び符号化回路１７２は、制御ユニット４によりインタフェース回路１７５を経て制御回路１７４に供給される制御命令に基いて制御回路１７４により制御される。符号化回路１７２により発生された絶対符号化及び差分符号化情報はインタフェース回路１７５を経て制御ユニット４に供給する。この制御ユニット４はコンピュータシステムとすることができ、これは表示ユニット１７６、計算兼記憶ユニット１７７及びデータ入力ユニット１７８、例えばユーザがデータ入力するためのキーボードを具えている。計算兼記憶ユニット１７７はそれぞれインタフェース回路１７９及び１８０を経て画像走査ユニット１及び記録ユニット５にも結合させる。記録ユニット５はフォーマット化兼符号化ユニット１８１を具えており、このユニット１８１はインタフェース回路１８２を経て制御ユニットから受信される記録すべき情報を記録するのに好適なフォーマットに配列された符号に変換する。このようにして符号化し、且つフォーマット化したデータを書込ヘッド１８３に供給し、このヘッドで記録担体１８４に対応する情報パターンを記録する。この記録処理の制御は、制御ユニット４から受信される制御命令及び利用できれば、記録担体１８４に対する書込ヘッド１８３の位置を示すアドレス情報に基いて制御回路１８５により行なわれる。
　さらに、計算兼記憶ユニット１７７は好適なソフトウエアをロードして画像走査ユニット１により供給される差分符号化画像情報を前述したフォーマット化規則に従って慣例のように配列して画像ファイルＩＰおよびＯＶを合成する。さらに、計算兼記憶ユニット１７７には、オペレータにより入力された画像パラメータデータを、例えば種々のファイルが記録担体１８４に記録されているアドレスのリストのような他の自動的に発生された制御データとともに制御ファイル内に前述したフォーマット化規則に従って慣例の如く挿入するソフトウエアをロードしておく。
　また、計算兼記憶ユニット１７７には、例えば焦点外れの補正および粒状性除去のような誤り補正の目的で、または画像のカラー調整或は輝度調整の目的で、走査画像情報を処理し得る画像処理ソフトウエアを含ませることができる。
　計算兼記憶ユニット１７７により構成されたファイルは所望の順序で記録ユニットに供給され記録される。
　記録担体１８４および記録ユニット５の極めて好適な組合せはヨーロッパ特許出願第８８２０３０１９．０号（特開平２−５，２５０号）、９０２０１３０９．３号（特開平２−２５，０２６号）、８９０００９２．８号、８８０２２３３．８号（特開平１−１５２，８３７号）、８９０１２０６．３号（特開平２−５０，３６０号）、９０２０１０９４．１号、９０２０１５８２．５号（特開平３−３４，１２７号）、９０２００６８７．３号（特開平２−２８５，５６４号）、９０２０１５７９．１号（特開平３−１０２，６７９号）、並びにオランダ国特許願第８９０２３５８号および９０００３２７号（特開平４−２１４，２０８号）に詳細に記載されている。ここに記載された記録担体はＣＤフォーマットに従って情報を記録するのに特に好適である。かかる記録担体にファイルを記録する記録装置を図１３に線図的に示す。この記録装置はフォーマット回路１８６を具え、この回路は、インターフェース回路１８２を経て供給される記録すべき情報を例えばいわゆるＣＤ−ＲＯＭまたはＣＤ−ＲＯＭＸＡシステムで慣例のフォーマット計画に従ってフォーマット化する。
　このフォーマットの一例を図１４に示す。このフォーマットに従ってデータを、ＣＤ信号のサブコードフレームの長さに相当する長さのブロックＢＬＣＫに配列する。各ブロックＢＬＣＫはブロック同期区分ＳＹＮＣおよびヘッダ区分ＨＥＡＤを具え、このヘッダ区分はブロックとともに記録されるサブコード部分内の絶対時間コードに相当する絶対時間コードの形状のアドレスを含み、且つＣＤ−ＲＯＭＸＡフォーマットを用いる場合にはこのブロックＢＬＣＫは更にファイル番号およびチャネル番号を含むサブヘッダ区分ＳＵＢＨＥＡＤを具える。更に各ブロックＢＬＣＫは記録すべき情報を含むＤＡＴＡ区分を具える。また、各ブロックＢＬＣＫはエラー検出およびエラー補正のための冗長情報を含む区分ＥＤＣ＆ＥＣＣを具える。更に、図１３に示す記録ユニット５は情報をインターリーブするため、およびエラー検出およびエラー訂正のためのパリティコード（以下誤り訂正コードと称する）を加えるためのＣＩＲＣ符号化回路１８７を具える。ＣＩＲＣ符号化回路１８７はフォーマット回路１８６により供給されるフォーマット情報に上述した処理を実行する。これらの処理が実行された後情報をＥＦＭ変調器１８８に供給してここでこの情報を記録担体に記録するのに良好な形状とする。更にＥＦＭ変調器１８８によってサブコード情報を加え、この情報は特にいわゆるサブコードＱチャネル内にアドレス情報として絶対時間コードを含むものとする。
　図１５は上述したＣＤフォーマットに従って情報がトラック２０に記録された場合の記録担体上の情報の構成を示す。図２に示す構成に対応する部分には同一符号を付して示す。
　記録された情報はＣＤ信号の記録で慣例のようにリードイン区分ＬＩ（リードイントラックとも称する）が先行するとともに慣例のリードアウト区分ＬＯ（リードアウトトラックとも称する）で終端する。
　情報をＣＤフォーマットに記録するとき、制御ファイルＢＢにＣＤ−Ｉ標準規格に従って記録された区分を含めるのが好適である。これらの区分は“ディスク　ラベル　アンド　ディレクトリ”ＤＬ及びいわゆるアプリケーション　プログラムＡＦである。これにより、記録された画像情報を標準ＣＤ−Ｉシステムにより表示することができる。画像パラメータデータセットを有するサブファイルＦＰＳもアプリケーションプログラム区分ＡＦに含めるのが好ましい。この制御ファイルＢＢは区分ＤＬおよびＡＦのほかに、制御データを有する区分ＣＮＴＲと画像パラメータデータセットを有する区分ＦＰＳを含むサブファイルＬＴを具える。この区分ＩＴは予定長さの、“プレギヤップ”としても知られている所定区分に記録するのが好ましい。これはマイクロコンピュータにより必要な情報の検索を簡単化するためのものである。区分ＩＴが全ての制御データを収容するに充分な大きさでない場合には制御データの一部分をファイルＯＶの後の区分ＩＴＣに記録することができる。この場合には区分ＩＴにポインタを含めて区分ＩＴＣの開始アドレスを指定するのが好適である。
　図１６は画像処理ユニット１４１を詳細に示す。この画像処理ユニット１４１は各差分符号化画像ラインの始端を示す同期コードＬＤおよび画像ラインの番号ＬＮを検出する第１検出回路２５０を具える。第２検出回路２５１は差分符号化画像を有する各画像ファイル内の各サブファイルの始端を検出して多数の符号化画像ラインのアドレスを含む区分ＩＩＤＢの始端を示すよう動作する。検出回路２５０および２５１は差分符号化画像を処理するためにのみ必要であり、絶対符号化画像を処理するためには必要ではない。これらの検出のためには、第１および第２検出回路２５０および２５１の入力端子を信号路１４２に接続する。また差分符号化画像情報を復号化する復号化回路２５２および画像処理操作を制御する制御回路２５３を信号路１４２に接続する。この信号路１４２および復号化回路２５２の出力端子を多重化回路２５４を経て画像メモリ１５５のデータ入力端子に接続して読出し復号化した画像情報を記憶する。画像メモリ２５５のデータ出力端子を復号化回路２５２の入力端子に接続するとともに多重化回路２５４の入力端子に接続する。制御回路２５３は画像メモリ２５５内のメモリ位置をアドレス指定するアドレス発生器２５６を具える。画像処理ユニット１４１は更に画像メモリ内のメモリ位置をアドレス指定して画像メモリの内容を信号変換器２５８に出力させる第２アドレス発生器２５７を具える。この信号変換器２５８は画像メモリ２５５から読出した画像情報を画像表示ユニット１０に供給するのに好適な形に変換する慣例のタイプのものとする。復号化回路２５２は制御ユニット２５３により制御される例えばハフマン復号化回路２６１ａおよび加算回路２５９を具える。このハフマン復号化回路２６１ａは信号路１４２を経て受信した情報を復号し、この復号化した情報を加算回路２５９の一方の入力端子に供給する。加算回路２５９の他方の入力端子は画像メモリ２５５のデータ出力端子に接続する。加算回路２５９により行われる加算処理の結果を多重化回路２５４に供給する。制御回路２５３は制御信号路２６０を経て制御ユニット１４０に結合する。この制御回路２５３は例えばプログラマブル制御兼計算ユニットを具えるものとし得る。かかる制御兼計算ユニットは例えば専用ハードウエアユニットまたは好適な制御ソフトウエアがロードされたマイクロプロセッサシステムとすることができ、これにより制御信号路２６０を経て受信された制御命令に基づいて、アドレス発生器２５６および多重化回路２５４を適宜制御して信号路１４２を経て供給される画像情報の選択部分を画像メモリにロードする。こうして画像メモリ２５５に記憶された情報はアドレス発生器２５７により読出され、信号変換器２５８を経て表示のために表示ユニット１０に供給される。
　図１７において、参照番号２６１、２６２、２６３は種々の解像度を有する同一画像の表示を示す。画像表示２６１は各３８４画素の２５６画像ラインを具える。画像表示２６２は各７６８画素の５１２画像ラインを具え、画像表示２６３は各１５３６画素の１０２４画像ラインを具える。画像表示２６１，２６２および２６３に対応するディジタル化画像は画像ファイルＩＰの連続するサブファイルＴＶ／４，ＴＶおよび４ＴＶに含まれる。図１６に示す画像メモリ２５５の容量は少なくとも７６８個のメモリ位置（メモリ素子とも称する）×５１２行である。画像表示を符号化画像全体を表わすものとする必要がある場合には、画像ファイルＩＰから画像メモリの容量に相当する画素数を有するサブファイル、本例では表示２６２を規定するサブファイルを選択する。この選択は例えばブロックＢＬＣＫのヘッダＨＥＡＤおよびサブヘッダＳＵＢＨＥＡＤの各サブファイルの始端に記憶された画像番号および解像度順序（サブファイルの解像度の識別）のような設定データに基づいて行うことができる。各サブファイルに対しこのデータを、各ブロックＢＬＣＫの始端の検出時にブロック同期検出器２６２ａにより供給される信号に応答して制御回路２５３により読み込む。
　絶対符号化画像の表示を再生する必要がある場合には、選択すべきサブファイルの始端の検出時に、制御回路が多重化回路２５４を信号路１４２が画像メモリ２５５のデータ入力端子に接続される状態に設定する。さらにアドレス発生器２５６が、順次の画素情報の受信に同期してメモリ位置がアドレス指定される状態に設定され、画像ライン１１，…，１５１２に対する情報が画像メモリ２５５の各行ｒ１，…，ｒ５１２に記憶される。次に、このように画像メモリ２５５にロードされた画像情報が読出され信号変換器２５８により表示ユニット１０に好適な形状に変換される。この際の読出し順序はアドレス発生器２５７が順次アドレスを発生する順序によって決まる。通常の再生中この順序を適宜定めてメモリが行ｒ１から出発し且つ１つの行の列ｃ１から出発するように１行づつ書込まれるようにする。これは飛び越し走査原理および順次走査原理の双方で行うことができる。飛び越し走査原理に従う読出しの場合には画像メモリ２５５の奇数行全部をまず最初読出し、次いで画像メモリ２５５の偶数行全部を読出すようにする。順次走査原理に従う読出しの場合には全行を順次に読出すようにする。
　画像メモリ２５５に画像情報を記憶する方法の極めて興味のある変更例では、画像メモリ２５５をまず最初低い解像度の画像表示を規定する画像ファイルからの画像情報で充填し、次いで画像メモリの内容を同一画像の高い解像度の表示を規定する符号化画像で重ね書きするようにする。上述した例ではサブファイルＴＶ／４からの各符号化画素の読出し中２×２メモリ素子の群の各々がその都度この符号化画素により規定された信号値で充填される。この方法は“空間レプリカ”法として既知である。良好な画像品質は、２×２マトリックスのメモリ素子の１つのみを読出し画素により規定された信号値で充填し、且つ２×２マトリックスの他の画素を既知の補間技術により隣接画素から取出すことによって得ることができる。この方法は“空間補間技術”として既知である。次のサブファイル（この場合ＴＶ）の検出後に画像メモリの内容をその都度上述した方法でこのサブファイルの画像情報で重ね書きする。サブファイルＴＶ／４の情報の量はサブファイルＴＶの量の僅か１／４である。これは第１暫定画像が表示ユニットに表示されるまでの時間の著しい短縮をもたらす。画像ファイルＴＶ／４の読出し後この低い解像度の画像を所望の解像度を有する同一の画像の表示画像で重ね書きする。順次の解像度の符号化画像を有する画像ファイルが直接互いに連続するため、サブファイルＴＶ／４の読出し後サブファイルＴＶのサーチ時間に時間の損失は生じない。
　画像を回転させる必要がある場合にはアドレス発生器２５６は、メモリ位置をアドレスする順序が所望の回転角度に従って変更された状態に設定される。図１８ｂ，１８ｃおよび１８ｄはそれぞれ２７０度、１８０度および９０度の回転に対し画像情報がメモリにどのように記憶されるかを示す。説明の便宜上これらの図は画像の最初の２画像ライン１１および１２の情報の位置を示すのみである。
　小画像の表示を他の画像または所望に応じ同一画像のフルスキャン表示のアウトライン内に表示する必要がある場合（ＰＩＰ機能）、これは、画像メモリ２５５の所望の位置にサブファイルＴＶ／４の低解像度の画像を拡大することなく充填することによって簡単に達成することができる。画像メモリ２５５に小画像を充填するとき、アドレス発生器２５６が小画像を記憶する必要のあるメモリ位置の情報をアドレスする状態に設定される。これを説明するために、これらメモリ位置をフレーム２６４として図１７に示す。上述した画像処理中、サブファイルＴＶ／４の低解像度の画像は、この機能を奏するに必要な画像情報が画像ファイルＩＰにおいて直接得ることができ、従って追加の処理を必要としない利点を有する。
　絶対符号化画像の一部分の拡大表示を表示する必要がある場合には画像の一部分、例えばフレーム２６５に相当する部分の情報を選択する。選択した部分の各画素の情報を２×２メモリ位置の群の各メモリ位置にロードして低解像度の拡大フルスキャン表示が表示ユニットに表示されるようにする。このメモリ内で各画素を２×２回繰返す代わりに、このメモリを前述した空間補間原理に従って充填してもよい。
　差分符号化画像を拡大するためには、まず最初上述したステップを実行する。次いで、フレーム２６６で表わされた部分をサブファイル４ＴＶ内に選択する。フレーム２６６の部分は表示２６２のフレーム２６５内の部分に相当する。制御回路２５３が、差分符号化回路２５２の出力端子を画像メモリ２５５のデータ入力端子に接続する状態に多重化回路２５４を設定する。アドレス発生器２５６は、サブファイル４ＴＶからの差分符号化情報が得られる順序で受信符号化画素に同期して画像メモリ２５５をアドレス指定する状態に設定される。アドレス指定されたメモリ位置の画像情報が復号化回路２５２に供給されるとともに加算回路２５９により差分値に加算され、その後このように加算された情報がアドレス指定されたメモリ位置にロードされる。フレーム２６６に相当する記録担体に記録された画像情報の部分は制御ファイルＩＩＤＢの情報に基づき好適に読出される。区分ＩＩＤＢの情報は検出器２５０からの信号に応答して制御回路２５３により読み込まれる。次いで、この符号化画像ラインのアドレスが、フレーム２６６の画像ラインに相当する第１符号化画像ラインの直前に位置するこの情報から選択される。この後制御回路が制御信号路２６０を経て制御ユニット１４０に命令を供給し、この制御ユニットがこの命令に応答してサーチプロセスを開始し、選択符号化画像を有する部分を見つけ出す。この部分を見いだすと、画像情報の読出しが開始し、フレーム２６６内の画像の部分に相当する第１符号化画像ラインの部分に到達すると直ちにメモリ２５５の内容の適応化が開始する。この符号化画像ラインの検出は、各符号化画像ラインの始端にライン同期符号とともに挿入されたライン番号に基づき行う。制御回路は検出回路２５１からの信号に応答してこれらライン番号ＬＮを読み込む。サブファイル４ＴＶの始端のアドレス情報の記憶は得るべき所望の情報の迅速なアクセスを可能にする。所望の差分符号画像ラインの読出しの検出はサブファイル４ＴＶ内にライン同期符号およびライン番号を存在させることによって簡単になる。
　図１９は読取りユニット６の実施例を示し、これにより図１３に示す記録ユニットにより記録担体に記録された符号化画像情報を読出すことができる。図示の読取りユニット６は通常の読出しヘッド２８０を具え、これによりトラック２０の走査により記録担体１８４の情報パターンを読出してその情報を対応する信号に変換する。さらにこの読取りユニット６は選択されたアドレスにより指定されたトラック２０の部分にトラックに直角を成す方向に読出しヘッド２８０を動かす通常の位置決めユニット２８４を具える。この読出しヘッド２８３の移動は制御ユニット２８５によって制御される。読出しヘッド２８０により変換された信号はＥＦＭ復号化回路２８１によって復号化され、次いでＣＩＲＣ復号化回路２８２に供給される。ＣＩＲＣ復号化回路２８２は通常の型のものとし、これにより記録前にインターリーブされた情報のもとの構造を再生すると共に読取った符号の誤りを検出し、できれば訂正する。著しい誤りが検出されるとＣＩＲＣ符号化ユニットは新たな誤りフラグ信号を供給する。ＣＩＲＣ復号化回路２８２により再生され訂正された情報はデフォーマット回路２８３に供給し、これにより記録前フォーマット回路１８６により加えられた追加の情報を除去する。ＥＦＭ復調回路２８１、ＣＩＲＣ復号化回路２８２およびデフォーマット回路２８３は制御ユニット２８５により通常のように制御する。デフォーマット回路２８３により供給される情報はインターフェース回路２８６を経て供給する。このデフォーマット回路は誤り訂正回路を具え、これによりＣＩＲＣ復号化回路によって訂正され得なかった誤りを検出し、訂正することができる。この誤り検出および訂正は、フォーマット回路１６６により加えられた冗長情報ＥＤＣ＆ＥＣＣにより行う。従って比較的複雑で比較的高価な誤り補正回路は必要ではない。その理由は絶対符号化画像情報の誤って読出された符号の影響は誤って読出された符号化画素および／または符号化画像ラインを１つ以上の隣接符号化画素または隣接符号化画像ラインから取出した画像情報と置換することにより簡単にマスクすることができるからである。かかる訂正は、ＣＩＲＣ復号化回路２８２により供給された誤りフラグ信号に応答してアドレス発生器２５６を制御して隣接画素の情報を読出すと同時に画像メモリ２５５のデータ出力端子をデータ入力端子に接続する状態に多重化回路２５４を設定するように制御回路２５３をプログラミングして、図１６に示す信号処理ユニット１４１により簡単に行うことができる。次いで、アドレス発生器をその前の状態にリセットし誤って読出した符号化画素の代わりに画像メモリ２５５から読出した情報をアドレス指定されたメモリ位置に記憶する。
　差分符号化画像を読出す場合には画像メモリ２５５の値を、誤って読出された差分値の検出時に適応化させず、そのままとする。これは、例えば誤った差分値が供給されるとき画像メモリ２５５への書込みを禁止する信号を制御回路により発生させることにより達成することができる。
　画像メモリ２５５の容量を大きくすると、かかるメモリの価格が比較的高くなる。メモリの容量は、マルチプレクサ２５４および画像メモリ２５５間に通常の型のサンプルレート変換器２９０を配置し、これによりライン当たりの画素の数を７８６個から５１２個に減少することにより低減することができる。
　図２１は本発明を使用し得る写真カラーフィルム処理システム（写真現像ミニラボ）の概略図を示す。
　図２１のディジタル化画像処理システムでは、３５ｍｍフィルム細条４１０の２４又は３６個の３６ｍｍ×２４ｍｍ画像フレームのセットのような写真画像を、市販のＥｉｋｏｎｉｘ　Ｍｏｄｅｌ　１４３５スキャナのような高解像度光電子フィルムスキャナ４１２により走査する。高解像度スキャナ４１２はフィルム細条４１０の各写真画像フレームが投映された高解像度検出アレーを電子的に走査してディジタル符号化データ（例えば３０７２×２０４８）を出力する。このディジタル符号化データ（ディジタル化画像）を画素アレー対応ビットマップの形で付随の画像処理ワークステーション４１４に供給する。このワークステーションはフレームストアと画像処理アプリケーションソフトウェア含み、このソフトウェアによりディジタル化画像を処理（例えば拡大、トリミング、シーンバランス補正等）して所望の画像表現を達成する。画像ファイルが作製されたら、これをコンパクトディスクレコーダ４１６を用いて追記型光コンパクトディスクのような可搬データベース媒体上に記憶する。次いでこのディスクをコンパクトディスクプレーヤ４２０に挿入し、キャビネット常駐制御パネル又はリモートコントロールユニット６００の選択スイッチの操作により選択した画像ファイルをアクセスしてユーザのテレビジョンセット４２２に表示させることができる。ＣＤプレーヤにより高解像度熱プリンタ４２４を駆動して選択画像のハードコピーを得ることもできる。
　上述した画像処理システムでは、各ディジタル化高解像度画像は低（又は基本）解像度絶対符号化画像及び順に増大する解像度と関連する複数の高解像度差分符号化画像を含む各別の画像ファイルとして記憶する。高解像度差分ディジタル化画像を低解像度絶対ディジタル化画像とくり返し組み合わせることにより順に高い解像度の画像を基本解像度の画像から再現することができる。
　一例として、３５ｍｍフィルム細条１０の３６ｍｍ×２４ｍｍ画像フレームの高解像度（３０７２×２０４８）走査を表わす空間データ値を５１２行×７６８画素列の空間画像アレーと関連するデータ値を含む基本解像度ディジタル化画像及び関連する差分符号化画像のセットを含む各別の画像ファイルとしてディスクに記憶することができる。ワークステーション自体内において、基本解像度ディジタル化画像を更にサブサンプリングしてもっと低い解像度（例えば１２８×１９２画素）の画像値のサブアレーを取り出して画像の向きの識別及びアスペクトル比の指定のために表示させることができる。フィルム上の画像がどのように撮影されどのようにディジタル化されてディスクに記憶されたかを指定するためにヘッダファイルを各画像ファイルと関連させることができる。ヘッダファイル内の情報はプレイバック装置が使用して画像を縦向きにすると共に再生装置に対し正しいアスペクト比を有するようにする。更に、図２１のＣＤレコーダ４１６により記憶される各ディスクに対するＩＤ番号を含むマスタフレームを記録して各ディスクを一意的に識別し得るようにする。
　フィルム細条を写真現像ミニラボで最初に走査をするとき、各画像はフィルム上の実際の向きとは無関係に水平向きであるものとしてディジタル化される。ディジタル化された画像はワークステーションのフレームストアにそのまま記憶され、このディジタル化画像の低解像度表示がワークステーション４１４の表示モニタに表示されるため、画像をオペレータが見ることができる。各画像はディジタル化され、ディスクに記憶されるので、写真現像ミニラボオペレータはワークステーション入力装置を用いて画像パラメータデータを各画像と関連するヘッダファイル内に組込まれた“提示”制御コードセットの形に入力して画像がどのように記憶されているかを指示し、後に再生装置によりアクセスされたとき画像が正しいアスペクト比で縦向きに再生されるようにすることができる。
　図２２は複数の順次の画像フレーム４２１，…４２５を含むフィル細条の一部を線図的に示す。各画像フレームには矢印４３０の画像が記録されている。フレーム４２１において、矢印は撮影者によって正規の水平位置に保持されたカメラによって記録された。フレーム４２２では、矢印は、正規の水平位置から反時計方向に９０°回転した正規の垂直位置に保持されたカメラによって記録されている。フレーム４２３では、矢印は、正規の水平位置から１８０°回転した位置又は反転水平位置に保持されたカメラによって記録された。フレーム４２４では、矢印は、正規の水平位置から時計方向に９０°回転した反転垂直位置に保持されたカメラで記録された。フレーム４２５では、矢印は、正規の垂直位置に保持されたカメラで記録されたものである。
　各フィルム細条は必ずしも図２２に示す各向きの画像を含むものではなく、典型的なフィルム細条の場合水平撮影（縦向き又は上下が反転した撮影）の画像及び垂直撮影（右回転又は左回転撮影）の画像の両方を含むことが予期される。本発明では、フィルム細条又はディジタル化スキャナを物理的に回転させるだけでなく、フィルム上の実際の向きに拘わらず、あたかも水平方向に回転しているようにフィルム細条の各画像を走査及びディジタル化する。ディジタル化された画像はワークステーションのフレームメモリに記憶され、低い解像度のディジタル化された画像がワークステーションの表示モニタに表示されるので、操作者はこの画像を見ることができる。各画像はディジタル化され記憶されるので、システムの操作者は、ワークステーションの入力装置（例えば、キーボード又はマウス）を用いて各画像ファイルと関連する表示制御ファイル内で協働する表示制御符号組を入力する。
　画像データファイル４２２Ｄと関連するヘッダファイル４２２Ｈのような表示制御ファイルのフォーマットにフィルム細条４１０の正規の垂直画像がスキャナ４１２によってディジタル化されており、このフォーマットを、Ｍビットの向きフィールド４３１並びにＮビートのアスペクト比フィールド４３３及び補助フィールド４３５を有するものとして図２３に示す。この補助フィールドには、操作者がディジタル化画像をフォーマット化してディスクに記録する際タイトルデータ等の付加的な情報を挿入することができる。上述した図２２に示す４個の画像の向きに対して、向きフィールド４３１用にＭ＝２ビットが必要である。アスペクト比フィールド４３３のコード幅は多数の許される画像アスペクト比に依存し、３ビットコード幅を付与することにより８個の異なるアスペクト比まで収納される。ここで説明したパラメータ及びフィールドフォーマットは説明のためのものであり、本発明はこれらのものに限定されるものではない。いかなるデータ処理の用途において、必要なことは、実際の符号化構造及びヘッドフィールドのデータフォーマットを再生装置の制御機構によって読み出し解釈できることがある。上記制御機構の符号化の細部について説明するだけでなく、記憶のアーキテクチャ並びに検索機構及び種々の向き及びアスペクト比を有する画像を処理する方法について説明する。
　図２４は本発明による画像検索機構の信号処理のアーキテクチャを線図的に示す。このアーキテクチャは、コンパクト　ディスク　プレーヤのような市販のディジタルデータ記憶兼検索装置に結合されてカラーテレビジョンモニタのような関連する表示装置にビデオ信号を供給することができる。図示のように、ディスク４４０から読み出されたデータは入力バス４４１を経てデフォーマッタ４４２に供給され、このデフォーマッタにより（５１２×７６８）のデータから制御データ（ヘッダフィールド）を分離する。ヘッダデータはリンク４４４を経てメモリコントローラ４４６に供給され、画像データはリンク４４８を介してランダムアクセスメモリ４５０に供給する。このメモリ４５０の記憶容量はディスクに記憶されている基準解像度の画像（５１２×７６８画素）の大きさに対応する。
　コントローラ４４６から読み出されるメモリはＣＤプレイヤのマイクロコントローラの一部として組み込むことができ、又は読み出したアドレス／クロック信号の発生を制御するマイクロコントローラによって駆動される別の専用の結合性論理回路とすることができる。上記アドレス／クロック信号は各アドレスバスリンク４５２及び４５２を介して関連する列カウンタ４５６及びアドレスカウンタ４５８の組にそれぞれ供給され、メモリ４５０の内容がアクセスされる速度及び順序を制御する。
　特に、“クロック”信号ラインによりカウンタ４５６及び４５８をインクリメント（アップ／ダウン信号が表明されたとき）又はデクリメント（アップ／ダウン信号が表明されないとき）することができ、“プリセット値”ラインによりこれらカウンタをこれらのラインによって示される値にプリセットすることができ、３：２デシメートラインによりこれらカウンタに対して３番目の値毎にスキップすること（すなわち、アドレス０，１，３，４，６，７，９，１０等を発生させる）を指示でき、“６：５”デシメートラインにより６番目の値毎にスキップすること（すなわちアドレス０，１，２，３，４，６，７，８，９，１０，１２，１３等）を指示することができる。
　前述したように、各ディジタル化された画像の画像データの各フィールドは、あたかもこの画像が正規の水平画像であるかのようにフォーマット化され、ディスクからメモリ４５０にダウンロードされるとき画像データはメモリ４５０にこのフォーマットで簡単に直接書込まれる。画像をメモリ４５０から関連するヘッダの内容に基づいて読み出す方法により、関連する表示装置（テレビモニタ）上の画像の向き及び表示が決定される。画像データがメモリ４５０から読み出されると、読み出した画像データはリンク４６０を介してボータ発生器４６２に結合され、このボーダー発生器はメモリ４５０からアクセスされた画素コードを規定されたボーダーカラー（例えば、黒）を表わす代替コード値で制御可能に置換する。このため、ボーダー発生器４６２は、好ましくはマルチプレクサスイッチ４６３を具え、このマルチプレクサスイッチによりＡ／Ｄ変換器４７０をメモリ４５０からの画素コードデータ値を受け取るように又は規定されたボーダーカラーを表わす“ボーダー”コード値を受け取るように接続する。マルチプレクサスイッチ４６３の位置はメモリコントローラ４４６からリンク４６４を介して供給される制御信号によって制御する。このようにして、ボーダー発生器４６２はメモリコントローラ４４６の命令に従ってボーダー画素値を選択的に注入し、これにより、ヘッダフィールド中のアスペクト比コードが、メモリから読み出された画像の大きさ及び形状が表示画像の全体以外の部分を占めるべきことを特定する画像ファイルに対して５１２×６８の画素アレイの縁部領域が満たされる。
　次に、結合された画像データ及びボーダーデータは、Ｄ／Ａ変換器４７０に出力されカラーテレビモニタのような表示装置に供給され、オリジナルの３５ｍｍの画像は観察者に表示される。
　通常のテレビジョンモニタは４：３のアスペクト比（ＮＴＳＣの場合、４８４本の走査線を有する）を有する表示スクリーンを用いているので、メモリ４５０に記憶されている３：２のアスペクト比の画像の向きに拘わらず、メモリ４５０をアクセスするためには５１２×７６８アレイの内容をある範囲に亘って切り取り又は縮小する必要がある。多数のそれぞれ異なる画像形態例えばＮＴＳＣ系のテレビジョンモニタの場合にコントローラ４４６がメモリ４５０の内容からアドレス信号及びクロック信号を発生させる方法を図２５〜図２９に示す。
　詳細に説明すると、図２５は矩形周辺フレーム４８０のオーバーレイを図示し、この矩形フレームの大きさ及び形状はＮＴＳＣテレビモニタの４８４×７６８の画素の表示容量にほぼ整合する４８４行×６４０列の画素アレイに対応し、この表示容量は正規の水平画像の場合のメモリ４５０の内容によって表示さる５１２×７６８の中心部分であるから、この画像の内容は縦向き画像に対応する。縦向き（正規）又は反転水平画像のいずれかの場合、記憶されている画像の大きさはＮＴＳＣ表示マトリックスの大きさを超えるため、メモリコントローラ４４６はその列及び行出力アドレスをメモリアレイ４５０中のフレーム４８０の中央に位置する４８４×６４０のサブマトリックスのアドレスを占める一組の境界部に制限する。
　特に、フレーム４８０は、アドレスＹ＝１３，Ｘ＝６３；Ｙ＝１３，Ｘ＝７０２によって境界される５１２×７６８の画素アレイの画素を包囲する。ここで、Ｙ列アドレスであり、Ｘは行アドレスである。フレーム４８０に含まれたメモリ４５０へのデータ入力は表示用にアクセスされず、関連する４８４×６４０のＮＴＳＣ表示はフレーム４８０によって境界される画素の正規の水平画像を表示する。反転水平画像の場合、順次する４８４本の読出の順序が正規の水平画像の読出順序と反転することを除き、同一の４８４×６４０のアドレスフレームがアクセスされる。反転水平画像の場合、アドレスＹ＝４９６，Ｘ＝６３に記憶されている画素コード値はメモリ４５０から読み出されたビデオフレームの第１画素（上側の左）となるので、ｐ個のＲＧＢ画像信号が走査画像を表示する。走査素子の出力部の画像信号は画像当たりの画素の数として最高の取り得る解像度を規定する。走査素子１７０から供給される情報信号は通常のマトリックス回路１７１により輝度信号Ｙと２個の色差信号Ｕ及びＶに変換する。符号化回路１７２は、通常の方法により前述した符号化スキムに従って絶対符号化された信号（より低い解像度の画像用に）及び残留符号化された信号（より高い解像度用に）に変換する。走査素子１７０、マトリックス回路１７１及び符号化回路１７２は、インターフェイス回路１７５を介して制御ユニット４によってコントロール回路１７４に供給される制御命令に基づいて通常のコントロール回路１７４により制御される。符号化回路１７２により発生した絶対符号化された画像情報及び残留符号化された画像情報は、インターフェイス回路１７５を介してコントロールユニット４に供給する。制御ユニット４は、表示ユニット１７６、計算兼記憶ユニット１７７、及び使用者がデータを入力する例えばキーボードのようなデータ入力ユニット１７８を有するコンピータシステムで構成することができる。一般的な方法では、表示ユニット１７６及びデータ入力ユニット１７８は計算兼記憶ユニット１７７に結合する。計算兼記憶回路１７７は、さらにそれぞれインターフェイス回路１７９及び１８０を介して画像走査ユニット１及び記録ユニット５に結合する。記録ユニット５はフォーマッティング兼符号化ユニット１８１を具え、このフォーマッテング兼符号化ユニットは、インターフェイス回路１８２を介して制御ユニットから供給される記録すべき情報を、記録するのに好適で記録するのに好適なフォーマットに配置された符号に変換する。このようにして符号化及びフォーマット化されたデータは、対応する情報パターンを記録媒体１８４上に記録する書込ヘッド１８３に供給する。この記録プロセスは制御ユニット４から供給される制御命令及び記録媒体１８４に対する書込ヘッド１８３の位置を表示するアドレス情報（適用可能な場合）に基づいて制御回路１８５により制御する。
　記憶兼制御ユニット１７７は適当なソフトウエアを用いてロードされ、走査ユニット１により前述したフォーマット化規則に基づく通常の方法で残留符号化された画像情報を配列すると共にＩＰ画像ファイル及びＯＶ画像ファイルを構築する。さらに、計算兼記憶記憶ユニット１７７はソフトウエアによりロードされ、通常の方法で前述したフォーマット化規則に基づいて優先再生セッティング入力を例えば種々のファイルが記録媒体１８４上に記録されているアドレスリストのような他の自動的に発生する制御データと共に操作者によって制御ファイルに挿入する。
　計算兼記憶ユニット１７７はさらに画像処理ソフトウエアを有し、走査された画像情報を適切に処理して例えば焦点誤差補正及びグレイン除去のような誤差補正を行い或いは画像のカラー適合又は輝度適合を行なうことができる。
　計算兼記憶ユニット１７７によって構成されるファイルは記録ユニット５に供給して所望のシーケンスで記録する。
　記録媒体１８４と記録ユニット５との好適な組み合わせは、欧州特許出願第８８２０３１９．０号（特開平２−５２５０号）、同第９０２０１３０９．３号（特開平２−２５０２６号、同第８９０００９２．８号、同第８８０２２３３．８号（特開平１−１５２８３７号）、同第８９０１２０６．３号（特開平２−５０３６０号）、同第９０２０１０９４．１号、同第９０２００６８７．３号（特開平２−２８５５６４号）、並びにオランダ国特記出願第８９０２３５号及び同第９０００３２７号（特開平４−２１４２０８号）に詳細に記載されている。本明細書で説明した記録媒体は以下のアドレスに基いて情報を記録するのに好適である。（Ｙ＝１，Ｘ＝７４６；Ｙ＝４，Ｘ＝７４６；Ｙ＝６ん，Ｘ＝７４７；…Ｙ＝５１１，Ｘ＝７４６；Ｙ＝０，Ｘ＝７３４；…Ｙ＝０，Ｘ＝７４０；…）フィールド１について、並びに（Ｙ＝０，Ｘ＝７４５；…Ｙ＝０，Ｘ＝７４２；…Ｙ＝０，Ｘ＝７３９）フィールド２について。垂直反転画像の場合、メモリ５０の画素Ｙ＝０，Ｘ＝２０を最初に読み出す。
　図２７は、記憶されている５１２×７６８の画像の全水平方向寸法を、４８４×６４０の画素マトリックス表示を用いて正規又は反転水平画像の“６対５”の列アドレス及び行アドレスのデシメーションを行なうことにより表示する方法を示す。すなわち、メモリコントローラ４４６は、列カウンタ４５６及び行カウンタ４５８に対し各６番目の画素及び６番目の走査線が除外される列アドレス出力及び行アドレス出力を発生するように命令し、これにより水平方向の全長画像が４２７×６４０画素のサブアレイとなるように５／６に縮小する。同様に、反転水平画像の場合、同一の４２７×６４０のアドレスフレームを、順次する４２７本の読出の順序を正規の水平画像の読出順序と反転することを除き、適切にアクセスする。また、画像のデシメーションを行なうため、画像の上部及び底部領域から縁部領域５０１及び５０１を除去する。尚、このためには、メモリ４５０からいかなるデータもアクセスしない。従って、メモリ４５０から画像データを読み出す際、ボーダー発生器４６２は、ボーダーカラー表示（例えば、黒）画素値と共にメモリから読み出した４２７×６４０の画素値をサブアレイに補充して表示された画像の縁部領域５０１及び５０２に満たす。
　図２８は、図２７の画像に対して用いたアドレスデシメーションと同様なアドレスデシメーションを用いてパノラマ画像の水平方向の全長を自動的に表示する方法を示す。本例では、図２３のアスペクト比コード３３＝００１によって表されているような３：１のアスペクト比を有する画像について説明する。ここでは、記憶されている画像の読出は、図２７に基いて説明したと同様なメモリ４５０の列及び行アドレスの６対５デシメーションを含む。一方、３：１のパノラマアスペクト比の画像では、メモリ４５０に記憶されている中間の２５６列の画像データだけが有用な画像データを含む。６対５デシメーションを用いてメモリからパノラマ画像を読み出す場合、ボーダー発生器４６２は、画素値を表わすボーダーカラー（例えば、黒）と共にメモリ４５０から読み出した２１３×６４０の画素値のサブアレイを補充して表示画像の縁部領域５１１及び５１２を満たす。図２１のプリンタ４２４によりサーマルプリントを行なう場合、図２３に示すアスペクト比コード４３３を利用することができる。３：１のアスペクト比のパノラマ画像の場合、プリンタは、データファイルに記憶されている３：２アスペクト比の中間半部の列だけが有用な画像データを含んでいることを認識する。記憶されているデータファイルの上部及び下部の列はサーマルプリタ４２４によって複写されず、この結果高価な複写媒体を節約し又は複写すべき２個の３：１アスペクト比の画像を単一の３：２アスペクト画像を複写するために通常用いられる同一空間に互いに並んで複写する。
　ヘッダの向きコード及びアスペクト比コードに基づくディフォーマンタ４４２からの制御データに対する応答に加えて、メモリコントローラ４４６をユーザ発生制御信号に応答するように結合してライン４６４を介してボーダー発生器４６２により画像出力に付加されるべき補助ボーダーの限界を規定することができるので、図２９の縁部領域５２１，５２２，５２３及び５２４によって示されるように、画像の選択した部分を切り取り表示画像のアスペクト比を変更して一層望ましく構成することができる。
　補助ボーダーを制御するスキムは本願人により１９８９年９月１１日に出願された米国特許出願第４０５８１６号、発明の名称“ア　ディジタル　サーキット　フォー　クリエイティング　エリア　デメンデンド　ビデオ　スペシャル　エフェクツ（Ａ　Ｄｉｇｉｔａｌ　Ｃｉｒｃｕｉｔ　ｆｏｒ　Ｃｒｅａｔｉｎｇ　Ａｒｅａ　Ｄｅｐｅｎｄｅｎｔ　Ｖｉｄｅｏ　Ｓｐｅｃｉａｌ　Ｅｆｆｅｃｔｓ）”に記載されており、その記載内容を本明細書において援用する。上記特許出願の図２４において、“窓１Ａ”信号５２０を用いて本願の図２４の信号線４６４を駆動して図２９の補助ボーダーを作成することができる。
　上述の説明から明らかなように、フィルム画像をフィルム上に維持されているようにディジタル化及び記憶することにより、本発明によれば、垂直画像についてフィルムスキャナをフィルムに対して物理的に回転させる必要性を除去することがで、これによりスキャナの構造を一層簡単にすることができると共に製造コストを低減することができ、また記録媒体も簡単化することができる。或いは、本発明では、コンパクトディスクのデータベースの情報容量を有効利用すると共に付加的な表示制御ファイルと協働するので、画像をそのままディジタル化して記憶することができる。表示制御ファイルは向き情報及びアスペクト比情報を含むので、画像プレイバック装置は、各画像がデータベースにいかにして記憶されているかを検出する。従って、ディスクを再生装置に挿入してカラーテレビモニタのような出力表示装置を駆動すると、プレイバック装置はディジタル化画像を読み出す際ヘッダ情報を容易に復調することができるので、画像は縦向きで正しいアスペクト比の画像として表示される。
　本発明の実施例を図示し詳細に説明したが、本発明は上述した実施例に限定されるものではなく当業者にとって種々の変更や変形が可能であり、従って上述した実施例に限定されるべきではなく、当業者にとって自明の変更や変更を含むものである。
（５７）【特許請求の範囲】
１．データベース媒体に画像情報を記憶する方法であって、
　光電装置を用いて画像記録媒体に取込まれている複数の画像をディジタル化し、各々の画像と関連する画像ファイルを形成する工程であって、前記画像記録媒体は、水平に向く画像及び垂直に向く画像を含むことができ、前記複数の画像の各々のディジタル化は、前記画像記録媒体における各々の実際の向きとは無関係である工程と、
　前記画像ファイルの各々を前記データベース媒体に記憶する工程と、
　前記データベース媒体により記憶された関連する画像の実際の向きを表す表示制御情報の各々を関連する前記画像ファイルに記憶する工程と、
　前記画像ファイルの各々に係る
前記データベース媒体により記憶された関連する画像の実際の向きを表す
前記データベース媒体上の
２．前記データベース媒体はコンパクトディスクであり、前記画像ファイルは、該コンパクトディスクに記憶されるサブコード情報のサブコードフレームの長さに対応する長さを有するブロックに含まれることを特徴とする請求項１に記載の方法。
３．前記画像が写真画像記録媒体に取込まれていることを特徴とする請求項１又は２に記載の方法。
４．ディジタル化された画像が輝度成分及び色差成分を表わすデータを有することを特徴とする請求項１、２又は３に記載の方法。
５．データベース媒体上の画像ファイルの形態のディジタル化された画像情報を読出す再生方法であって、
　前記画像ファイルの各々が、ディジタル化された画像を表すデータ及び前記データベース媒体により記憶された関連する画像の実際の向きを表す表示制御情報を含み、
前記データベース媒体上の
前記データベース媒体により記憶された関連する画像の実際の向きを表す
　複数の画像ファイルのうちの選択された画像ファイルを読出す工程と、
　前記選択された画像ファイルに含まれるデータを再生に適した画像信号に変換する画像処理工程と、
　表示制御情報を前記選択された画像ファイル又は個別の制御ファイルから選択する工程と、
　前記画像信号が前記選択された表示制御情報に応じた向きを持つディジタル化された画像の可視像をもたらすように前記画像処理工程を制御する工程とを有する方法。
６．前記データベース媒体はコンパクトディスクであり、前記画像ファイルは、該コンパクトディスクに記憶されるサブコード情報のサブコードフレームの長さに対応する長さを有するブロックに含まれることを特徴とする請求項５に記載の方法。
７．データベース媒体に画像情報を記憶する装置であって、
　光電装置を用いて画像記録媒体に取込まれている複数の画像をディジタル化し、各々の画像と関連する画像ファイルを形成する手段であって、前記画像記録媒体は、水平に向く画像及び垂直に向く画像を含むことができ、前記複数の画像の各々のディジタル化は、前記画像記録媒体における各々の実際の向きとは無関係である手段と、
　前記画像ファイルの各々を前記データベース媒体に記憶する手段と、
　前記データベース媒体により記憶された関連する画像の実際の向きを表す表示制御情報の各々を関連する前記画像ファイルに記憶する手段と、
　前記画像ファイルの各々に係る
前記データベース媒体により記憶された関連する画像の実際の向きを表す
前記データベース媒体上の
８．前記データベース媒体はコンパクトディスクであり、前記画像ファイルは、該コンパクトディスクに記憶されるサブコード情報のサブコードフレームの長さに対応する長さを有するブロックに含まれることを特徴とする請求項７に記載の装置。
９．前記画像が写真画像記録媒体に取込まれていることを特徴とする請求項７又は８に記載の装置。
１０．ディジタル化された画像が輝度成分及び色差成分を表わすデータを有することを特徴とする請求項７、８又は９に記載の装置。
１１．データベース媒体上の画像ファイルの形態のディジタル化された画像情報を読出す再生装置であって、
　前記画像ファイルの各々が、ディジタル化された画像を表すデータ及び前記データベース媒体により記憶された関連する画像の実際の向きを表す表示制御情報を含み、
前記データベース媒体上の
前記データベース媒体により記憶された関連する画像の実際の向きを表す
　複数の画像ファイルのうちの選択された画像ファイルを読出す手段と、
　前記選択された画像ファイルに含まれるデータを再生に適した画像信号に変換する画像処理手段と、
　表示制御情報を前記選択された画像ファイル又は個別の制御ファイルから選択する手段と、
　前記画像信号が前記選択された表示制御情報に応じた向きを持つディジタル化された画像の可視像をもたらすように前記画像処理手段を制御する手段とを有する再生装置。
１２．前記データベース媒体はコンパクトディスクであり、前記画像ファイルは、該コンパクトディスクに記憶されるサブコード情報のサブコードフレームの長さに対応する長さを有するブロックに含まれることを特徴とする請求項１１に記載の装置。
１３．複数の画像ファイルの形態でディジタル化された画像情報が記憶されているデータベース媒体であって、前記画像ファイルの各々が、ディジタル化された画像を表すデータ及び前記データベース媒体により記憶された関連する画像の実際の向きを表す表示制御情報を含み、
前記データベース媒体上の
前記データベース媒体により記憶された関連する画像の実際の向きを表す
１４．前記データベース媒体はコンパクトディスクであり、前記画像ファイルは、該コンパクトディスクに記憶されるサブコード情報のサブコードフレームの長さに対応する長さを有するブロックに含まれることを特徴とする請求項１３に記載のデータベース媒体。
１５．ディジタル化された画像が輝度成分及び色差成分を表わすデータを有することを特徴とする請求項１３又は１４に記載のデータベース媒体。